(57)【特許請求の範囲】
【請求項１】
高次変調及び低次変調をサポートする基地局に適用される伝送方法であって、
前記基地局により、ユーザ装置から能力レベル情報を受信するステップであって、前記ユーザ装置が高次変調をサポートすること又は低次変調をサポートすることを示すために前記能力レベル情報が使用され、前記高次変調が２５６直交振幅変調（ＱＡＭ）を含み、前記低次変調が６４ＱＡＭ、１６ＱＡＭ及び直交位相シフトキーイング（ＱＰＳＫ）のうちの少なくとも１つを含む、ステップと、
前記基地局により、高次変調マッピングテーブル及び低次変調マッピングテーブルから前記ユーザ装置と通信するために使用される変調マッピングテーブルを前記能力レベル情報に従って選択するステップであって、前記高次変調マッピングテーブル及び前記低次変調マッピングテーブルが前記基地局に記憶され、前記高次変調マッピングテーブルが前記高次変調をサポートし、前記低次変調マッピングテーブルが前記低次変調をサポートする、ステップと、
前記基地局により、変調及び符号化スキームインデックスを前記の選択された変調マッピングテーブルに従って判定するステップであって、前記変調及び符号化スキームインデックスが変調及び符号化スキームを示す、ステップと、
前記基地局により、前記変調及び符号化スキームインデックスを前記ユーザ装置に送信するステップと、
前記基地局により、前記ユーザ装置から第２の更新情報を受信するステップであって、前記第２の更新情報が、前記基地局と通信するために使用される変調マッピングテーブルを前記ユーザ装置がチャネル品質情報に従って更新するということに基づいて、前記ユーザ装置と通信するために使用される前記変調マッピングテーブルを更新するように前記基地局に指示するために使用される、ステップとを含む、方法。
【請求項２】
前記基地局により、高次変調マッピングテーブル及び低次変調マッピングテーブルから前記ユーザ装置と通信するために使用される変調マッピングテーブルを前記能力レベル情報に従って選択する前記ステップが、
前記ユーザ装置が前記高次変調をサポートすることを前記能力レベル情報が示す場合に、前記基地局により、前記ユーザ装置と通信するために前記高次変調マッピングテーブルを選択するステップを含む、請求項１に記載の方法。
【請求項３】
前記基地局により、高次変調マッピングテーブル及び低次変調マッピングテーブルから前記ユーザ装置と通信するために使用される変調マッピングテーブルを前記能力レベル情報に従って選択する前記ステップが、
前記ユーザ装置が前記高次変調をサポートすることを前記能力レベル情報が示すとともに、信号対干渉雑音比（ＳＩＮＲ）がＳＩＮＲしきい値より大きい場合に、前記基地局により、前記ユーザ装置と通信するために前記高次変調マッピングテーブルを選択するステップを含む、請求項１に記載の方法。
【請求項４】
前記基地局により、高次変調マッピングテーブル及び低次変調マッピングテーブルから前記ユーザ装置と通信するために使用される変調マッピングテーブルを前記能力レベル情報に従って選択する前記ステップが、
前記ユーザ装置が前記高次変調をサポートすることを前記能力レベル情報が示すとともに、信号対干渉雑音比（ＳＩＮＲ）がＳＩＮＲしきい値より小さい場合に、前記基地局により、前記ユーザ装置と通信するために前記低次変調マッピングテーブルを選択するステップを含む、請求項１に記載の方法。
【請求項５】
前記基地局により、前記ユーザ装置により報告されたチャネル品質情報を受信するステップであって、前記チャネル品質情報がチャネル品質指標（ＣＱＩ）を含む、ステップと、
前記基地局により、前記ユーザ装置と通信するために使用される前記変調マッピングテーブルを更新するかどうかを前記チャネル品質情報に従って判定するステップとを更に含む、請求項１から請求項４のいずれか一項に記載の方法。
【請求項６】
前記基地局により、前記ユーザ装置と通信するために使用される前記変調マッピングテーブルを更新するかどうかを前記チャネル品質情報に従って判定する前記ステップが、
前記ユーザ装置と通信するために使用される前記変調マッピングテーブルが前記高次変調マッピングテーブルであるとともに、前記チャネル品質情報がチャネル品質しきい値より小さい場合に、前記基地局により、前記変調マッピングテーブルを更新することを判定するステップであって、更新された変調マッピングテーブルが前記低次変調マッピングテーブルである、ステップを含む、請求項５に記載の方法。
【請求項７】
前記基地局により、前記ユーザ装置と通信するために使用される前記変調マッピングテーブルを更新するかどうかを前記チャネル品質情報に従って判定する前記ステップが、
前記ユーザ装置と通信するために使用される前記変調マッピングテーブルが前記低次変調マッピングテーブルであるとともに、前記チャネル品質情報がチャネル品質しきい値より大きい場合に、前記基地局により、前記変調マッピングテーブルを更新することを判定するステップであって、更新された変調マッピングテーブルが前記高次変調マッピングテーブルである、ステップを含む、請求項５に記載の方法。
【請求項８】
当該方法が、
前記基地局により、第１の更新情報を前記ユーザ装置に送信するステップであって、前記第１の更新情報が前記基地局と通信するために使用される変調マッピングテーブルを更新するように前記ユーザ装置に指示するために使用される、ステップを更に含む、請求項６又は請求項７に記載の方法。
【請求項９】
前記第１の更新情報が、無線リソース制御（ＲＲＣ）メッセージにより伝達される、請求項８に記載の方法。
【請求項１０】
基地局であって、
ユーザ装置から能力レベル情報を受信するように構成される受信機であって、前記ユーザ装置が高次変調をサポートすること又は低次変調をサポートすることを示すために前記能力レベル情報が使用され、前記高次変調が２５６直交振幅変調（ＱＡＭ）を含み、前記低次変調が６４ＱＡＭ、１６ＱＡＭ及び直交位相シフトキーイング（ＱＰＳＫ）のうちの少なくとも１つを含む、前記受信機と、
高次変調マッピングテーブル及び低次変調マッピングテーブルから前記ユーザ装置と通信するために使用される変調マッピングテーブルを前記能力レベル情報に従って選択し、前記高次変調マッピングテーブル及び前記低次変調マッピングテーブルが前記基地局に記憶され、前記高次変調マッピングテーブルが前記高次変調をサポートし、前記低次変調マッピングテーブルが前記低次変調をサポートする、ように構成されるプロセッサであって、変調及び符号化スキームインデックスを前記の選択された変調マッピングテーブルに従って判定し、前記変調及び符号化スキームインデックスが変調及び符号化スキームを示す、ように更に構成されるプロセッサと、
前記変調及び符号化スキームインデックスを前記ユーザ装置に送信するように構成される送信機とを備え、
前記受信機が、前記ユーザ装置から第２の更新情報を受信し、前記第２の更新情報が、当該基地局と通信するために使用される変調マッピングテーブルを前記ユーザ装置がチャネル品質情報に従って更新するということに基づいて、前記ユーザ装置と通信するために使用される前記変調マッピングテーブルを更新するように当該基地局に指示するために使用される、ように構成される、基地局。
【請求項１１】
前記プロセッサが、前記ユーザ装置が前記高次変調をサポートすることを前記能力レベル情報が示す場合に、前記ユーザ装置と通信するために前記高次変調マッピングテーブルを選択するように構成される、請求項１０に記載の基地局。
【請求項１２】
前記プロセッサが、前記ユーザ装置が前記高次変調をサポートすることを前記能力レベル情報が示すとともに、信号対干渉雑音比（ＳＩＮＲ）がＳＩＮＲしきい値より大きい場合に、前記ユーザ装置と通信するために前記高次変調マッピングテーブルを選択するように構成される、請求項１０に記載の基地局。
【請求項１３】
前記プロセッサが、前記ユーザ装置が前記高次変調をサポートすることを前記能力レベル情報が示すとともに、信号対干渉雑音比（ＳＩＮＲ）がＳＩＮＲしきい値より小さい場合に、前記ユーザ装置と通信するために前記低次変調マッピングテーブルを選択するように構成される、請求項１０に記載の基地局。
【請求項１４】
前記受信機が、前記ユーザ装置により報告されたチャネル品質情報を受信し、前記チャネル品質情報がチャネル品質指標（ＣＱＩ）を含む、ように構成され、
前記プロセッサが、前記ユーザ装置と通信するために使用される前記変調マッピングテーブルを更新するかどうかを前記チャネル品質情報に従って判定するように構成される、請求項１０から請求項１３のいずれか一項に記載の基地局。
【請求項１５】
前記プロセッサが、前記変調マッピングテーブルが前記高次変調マッピングテーブルであるとともに、前記チャネル品質情報がチャネル品質しきい値より小さい場合に、前記ユーザ装置と通信するために使用される前記変調マッピングテーブルを更新することを判定し、更新された変調マッピングテーブルが前記低次変調マッピングテーブルである、ように構成される、請求項１４に記載の基地局。
【請求項１６】
前記プロセッサが、前記変調マッピングテーブルが前記低次変調マッピングテーブルであるとともに、前記チャネル品質情報がチャネル品質しきい値より大きい場合に、前記ユーザ装置と通信するために使用される前記変調マッピングテーブルを更新することを判定し、更新された変調マッピングテーブルが前記高次変調マッピングテーブルである、ように構成される、請求項１４に記載の基地局。
【請求項１７】
前記送信機が、第１の更新情報を前記ユーザ装置に送信し、前記第１の更新情報が前記基地局と通信するために使用される変調マッピングテーブルを更新するように前記ユーザ装置に指示するために使用される、ように構成される、請求項１５又は請求項１６に記載の基地局。
【請求項１８】
前記第１の更新情報が、無線リソース制御（ＲＲＣ）メッセージにより伝達される、請求項１７に記載の基地局。
【発明の詳細な説明】
【技術分野】
【０００１】
本発明は、通信技術の分野に関し、特に、高次変調及び低次変調に対応している伝送方法、並びに装置に関する。
【０００２】
本出願は、２０１３年１１月２２日に中国特許庁に出願され、“TRANSMISSION  METHOD  COMPATIBLE  WITH  HIGHER  ORDER  MODULATION  AND  LOWER  ORDER  MODULATION,  AND  APPARATUS”と表題が付けられた中国特許出願第201310598181.8号に対する優先権を主張するとともに、それはその全体における参照によりここに組み込まれている。
【背景技術】
【０００３】
高次変調技術は、伝送帯域幅を増やさないという前提の下で送信データの量を改善するために導入された技術である。現段階において、ロングタームエボリューション（ＬＴＥ、Long  Time  Evolution）技術では、概して、高次変調技術の最も高い次数は、６４直交振幅変調（すなわち、６４ＱＡＭ、Quadrature  Amplitude  Modulation）である。技術の発展によって、現在の６４ＱＡＭと比較すると、２５６ＱＡＭの理論上の利得は３３％になる。２５６ＱＡＭシナリオでは、各リソースエレメント（ＲＥ、Resource  Element）は、８ビット（bit）のデータを伝達することができるとともに、比較すると、６４ＱＡＭシナリオでは、各ＲＥはわずか６ビットのデータを伝達することができる。したがって、同じＲＥシナリオでは、２５６ＱＡＭで送信されることができるデータの量は、６４ＱＡＭで送信されることができるデータの量と比較した場合に、３３％増加する。
【０００４】
第３世代パートナシッププロジェクト（３ＧＰＰ、3rd  Generation  Partnership  Program）は、基地局側及びユーザ装置（ＵＥ、User  Equipment）側の両方がマッピングテーブルを記憶することを指定する。図１において示されたように、マッピングテーブルは、変調及び符号化スキーム（ＭＣＳ、Modulation  and  Coding  Scheme）インデックス（Index）（すなわちＩＭＣＳ）、変調次数（Modulation  Order）及びトランスポートブロックサイズインデックス（TBS  Index、Transmission  Block  Size  Index）（すなわちＩＴＢＳ）を含む。ＵＥが、マッピングテーブルからＩＭＣＳに従って対応する変調次数及びトランスポートブロックサイズインデックスを選択するとともに、それに続くデータ処理を実行するように、基地局側は、ＩＭＣＳを送信することによりＵＥに通知する。図１において示されたマッピングテーブルから分かり得るように、現存する３ＧＰＰの仕様書では、２５６ＱＡＭはサポートされていない。図１において、変調次数番号（Modulation  Order）２、４及び６は、それぞれＱＰＳＫ、１６ＱＡＭ及び６４ＱＡＭを表す。
【０００５】
２５６ＱＡＭをサポートするために、現存する技術的解決法では、マッピングテーブルが直接修正され、図１において示されたテーブルにおけるＩＭＣＳの全体量はそれでもやはり３２個を維持し、３２個の変調次数において、ＵＥが変調次数：２５６ＱＡＭを使用することによりデータを送信することができるように、いくつかの変調次数は、削除されるとともに、新しく加えられた変調次数：２５６ＱＡＭによって取って代わられる。
【０００６】
しかしながら、従来技術では、基地局側が２５６ＱＡＭをサポートするＵＥにサービスを提供する場合に、２５６ＱＡＭをサポートしないＵＥの互換性の問題が考慮されない。結果として、従来技術では、基地局が、２５６ＱＡＭ変調をサポートするＵＥ及び２５６ＱＡＭ変調をサポートしないＵＥの両方にサービスを提供することができず、ＵＥのうちの一方は、非互換性の問題に起因して、基地局により送信されたデータを復調することができない。
【発明の概要】
【０００７】
本発明の実施例は、２５６ＱＡＭ変調をサポートするＵＥ及び２５６ＱＡＭ変調をサポートしないＵＥにサービスを互換的に提供することができる、高次変調及び低次変調に対応している伝送方法、並びに装置を提供し、それにより、従来技術における非互換性の問題を解決する。
【０００８】
本発明の実施例の第１の態様は、高次変調及び低次変調に対応している基地局により使用される伝送方法であって、前記高次変調が２５６直交振幅変調ＱＡＭを含み、前記低次変調が６４ＱＡＭ、１６ＱＡＭ及び直交位相シフトキーイングＱＰＳＫのうちの少なくとも１つを含み、前記基地局が前記高次変調をサポートする第１の高次変調マッピングテーブル及び前記低次変調をサポートする第１の低次変調マッピングテーブルを記憶し、当該方法が、前記基地局により、ユーザ装置により送信された能力レベル情報を受信するステップであって、前記ユーザ装置が高次変調をサポートすること又は低次変調をサポートすることを示すために前記能力レベル情報が使用される、ステップと、前記基地局により、前記ユーザ装置と通信するために使用される第１の変調マッピングテーブルを前記ユーザ装置により送信された前記能力レベル情報に従って判定するステップであって、前記第１の変調マッピングテーブルが前記第１の高次変調マッピングテーブル又は前記第１の低次変調マッピングテーブルである、ステップと、前記基地局により、変調及び符号化スキームインデックスを前記変調マッピングテーブルに従って判定するステップであって、前記変調及び符号化スキームインデックスが変調及び符号化スキームを判定するために前記ユーザ装置により使用される、ステップと、前記基地局により、前記変調及び符号化スキームインデックスを前記ユーザ装置に送信するステップとを含む、方法を提供する。
【０００９】
本発明の実施例の第１の態様の第１の可能な実施方法において、前記基地局により、前記ユーザ装置と通信するために使用される第１の変調マッピングテーブルを前記ユーザ装置により送信された前記能力レベル情報に従って判定する前記ステップは、前記ユーザ装置が前記高次変調をサポートすることを前記能力レベル情報が示す場合に、前記基地局により、前記変調マッピングテーブルが前記第１の高次変調マッピングテーブルであることを判定するステップであって、前記ユーザ装置が前記高次変調をサポートする第２の高次変調マッピングテーブルを記憶する、ステップを含む。
【００１０】
本発明の実施例の第１の態様の第２の可能な実施方法において、前記基地局により、前記ユーザ装置と通信するために使用される第１の変調マッピングテーブルを前記ユーザ装置により送信された前記能力レベル情報に従って判定する前記ステップは、前記ユーザ装置が前記高次変調をサポートすることを前記能力レベル情報が示すとともに、信号対干渉雑音比ＳＩＮＲがＳＩＮＲしきい値より大きい場合に、前記基地局により、前記第１の変調マッピングテーブルが前記第１の高次変調マッピングテーブルであることを判定するか、又は、前記ユーザ装置が前記高次変調をサポートすることを前記能力レベル情報が示すとともに、信号対干渉雑音比ＳＩＮＲがＳＩＮＲしきい値より小さい場合に、前記基地局により、前記第１の変調マッピングテーブルが前記第１の低次変調マッピングテーブルであることを判定するステップであって、前記ユーザ装置が前記高次変調をサポートする第２の高次変調マッピングテーブル及び前記低次変調をサポートする第２の低次変調マッピングテーブルを記憶する、ステップを含む。
【００１１】
本発明の実施例の第１の態様、又は第１の態様の第１から第２の可能な実施方法のいずれかに関連して、本発明の実施例の第１の態様の第３の可能な実施方法において、前記ユーザ装置が前記高次変調をサポートする前記第２の高次変調マッピングテーブル及び前記低次変調をサポートする前記第２の低次変調マッピングテーブルを記憶する場合に、当該方法は、前記基地局により、前記ユーザ装置により報告されたチャネル品質情報を受信するステップであって、前記チャネル品質情報がチャネル品質指標ＣＱＩを含む、ステップと、前記基地局により、前記第１の変調マッピングテーブルを更新するかどうかを前記チャネル品質情報に従って判定するステップとを更に含む。
【００１２】
本発明の実施例の第１の態様の第３の可能な実施方法に関連して、本発明の実施例の第１の態様の第４の可能な実施方法において、前記基地局により、前記第１の変調マッピングテーブルを更新するかどうかを前記チャネル品質情報に従って判定する前記ステップは、前記第１の変調マッピングテーブルが前記第１の高次変調マッピングテーブルであるとともに、前記チャネル品質情報がチャネル品質しきい値より小さい場合に、前記基地局により、前記第１の変調マッピングテーブルを更新することを判定するステップであって、更新された第１の変調マッピングテーブルが前記第１の低次変調マッピングテーブルである、ステップか、又は、前記第１の変調マッピングテーブルが前記第１の低次変調マッピングテーブルであるとともに、前記チャネル品質情報がチャネル品質しきい値より大きい場合に、前記基地局により、前記第１の変調マッピングテーブルを更新することを判定するステップであって、更新された第１の変調マッピングテーブルが前記第１の高次変調マッピングテーブルである、ステップを含む。
【００１３】
本発明の実施例の第１の態様の第４の可能な実施方法に関連して、本発明の実施例の第１の態様の第５の可能な実施方法において、当該方法は、前記基地局により、第１の更新情報を前記ユーザ装置に送信するステップであって、前記第１の更新情報が第２の変調マッピングテーブルを更新するように前記ユーザ装置に指示するために使用され、前記第２の変調マッピングテーブルが、前記基地局と通信するために使用されるとともに、前記第２の高次変調マッピングテーブル又は前記第２の低次変調マッピングテーブルである、ステップを更に含む。
【００１４】
本発明の実施例の第１の態様、又は第１の態様の第１から第２の可能な実施方法のいずれかに関連して、本発明の実施例の第１の態様の第６の可能な実施方法において、前記ユーザ装置が前記高次変調をサポートする前記第２の高次変調マッピングテーブル及び前記低次変調をサポートする前記第２の低次変調マッピングテーブルを記憶する場合に、当該方法は、前記基地局により、前記ユーザ装置により送信された第２の更新情報を受信するステップであって、第２の更新情報が前記第１の変調マッピングテーブルを更新するように前記基地局に指示するために使用される、ステップを更に含む。
【００１５】
本発明の実施例の第１の態様の第５から第６の可能な実施方法のいずれかに関連して、本発明の実施例の第１の態様の第７の可能な実施方法において、前記第１の更新情報又は前記第２の更新情報は、無線リソース制御メッセージにより伝達される。
【００１６】
本発明の実施例の第１の態様の第５から第６の可能な実施方法のいずれかに関連して、本発明の実施例の第１の態様の第８の可能な実施方法において、前記第１の更新情報は、物理層ダウンリンク制御チャネルを使用することにより伝送される。
【００１７】
本発明の実施例の第２の態様は、ユーザ装置により使用される伝送方法であって、前記ユーザ装置により、能力レベル情報を基地局に送信するステップであって、前記ユーザ装置が高次変調又は低次変調をサポートすることを示すために前記能力レベル情報が使用され、前記高次変調が２５６直交振幅変調ＱＡＭを含み、前記低次変調が６４ＱＡＭ、１６ＱＡＭ及び直交位相シフトキーイングＱＰＳＫのうちの少なくとも１つを含み、前記基地局が前記高次変調をサポートする第１の高次変調マッピングテーブル及び前記低次変調をサポートする第１の低次変調マッピングテーブルを記憶する、ステップと、前記ユーザ装置により、前記基地局により送信された変調及び符号化スキームインデックスを受信するステップであって、前記変調及び符号化スキームインデックスが第１の変調マッピングテーブルに従って前記基地局により判定され、前記第１の変調マッピングテーブルが前記第１の高次変調マッピングテーブル又は前記第１の低次変調マッピングテーブルである、ステップと、前記ユーザ装置により、前記基地局と通信するための第２の変調マッピングテーブルを判定するとともに、前記第２の変調マッピングテーブルと前記変調及び符号化スキームインデックスに従って変調及び符号化スキームを判定するステップであって、前記ユーザ装置が前記高次変調をサポートする第２の高次変調マッピングテーブル及び前記低次変調をサポートする第２の低次変調マッピングテーブルのうちの少なくとも１つを記憶し、前記第２の変調マッピングテーブルが前記第２の高次変調マッピングテーブル又は前記第２の低次変調マッピングテーブルである、ステップとを含む、方法を提供する。
【００１８】
本発明の実施例の第２の態様の第１の可能な実施方法において、前記ユーザ装置が前記高次変調をサポートする前記第２の高次変調マッピングテーブルを記憶する場合に、前記ユーザ装置により、前記基地局と通信するための第２の変調マッピングテーブルを判定する前記ステップは、前記ユーザ装置により、デフォルト設定で前記第２の高次変調マッピングテーブルを前記第２の変調マッピングテーブルとして使用するステップを含む。
【００１９】
本発明の実施例の第２の態様の第２の可能な実施方法において、前記ユーザ装置が前記高次変調をサポートする前記第２の高次変調マッピングテーブル及び前記低次変調をサポートする前記第２の低次変調マッピングテーブルを記憶する場合に、前記ユーザ装置により、前記基地局と通信するための第２の変調マッピングテーブルを判定する前記ステップは、信号対干渉雑音比ＳＩＮＲがＳＩＮＲしきい値より大きい場合に、前記ユーザ装置により、前記第２の変調マッピングテーブルが前記第２の高次変調マッピングテーブルであることを判定するか、又は、信号対干渉雑音比ＳＩＮＲがＳＩＮＲしきい値より小さい場合に、前記ユーザ装置により、前記第２の変調マッピングテーブルが前記第２の低次変調マッピングテーブルであることを判定するステップを含む。
【００２０】
本発明の実施例の第２の態様、又は第２の態様の第１から第２の可能な実施方法のいずれかに関連して、本発明の実施例の第２の態様の第３の可能な実施方法において、前記ユーザ装置が前記高次変調をサポートする前記第２の高次変調マッピングテーブル及び前記低次変調をサポートする前記第２の低次変調マッピングテーブルを記憶する場合に、当該方法は、前記ユーザ装置により、チャネル品質情報を前記基地局に送信するステップであって、前記チャネル品質情報が前記第１の変調マッピングテーブルを更新するかどうかを判定するために前記基地局により使用されるとともに、前記チャネル品質情報がチャネル品質指標ＣＱＩを含む、ステップを更に含む。
【００２１】
本発明の実施例の第２の態様の第３の可能な実施方法に関連して、本発明の実施例の第２の態様の第４の可能な実施方法において、当該方法は、前記ユーザ装置により、前記基地局により送信された第１の更新情報を受信するとともに、前記第１の更新情報に従って前記第２の変調マッピングテーブルを更新するステップを更に含む。
【００２２】
本発明の実施例の第２の態様、又は第２の態様の第１から第２の可能な実施方法のいずれかに関連して、本発明の実施例の第２の態様の第５の可能な実施方法において、前記ユーザ装置が前記高次変調をサポートする前記第２の高次変調マッピングテーブル及び前記低次変調をサポートする前記第２の低次変調マッピングテーブルを記憶する場合に、当該方法は、前記ユーザ装置により、チャネル品質情報を判定するステップであって、前記チャネル品質情報がチャネル品質指標を含む、ステップと、前記ユーザ装置により、前記第２の変調マッピングテーブルを更新するかどうかを前記チャネル品質情報に従って判定するステップとを更に含む。
【００２３】
本発明の実施例の第２の態様の第５の可能な実施方法に関連して、本発明の実施例の第２の態様の第６の可能な実施方法において、前記ユーザ装置により、前記第２の変調マッピングテーブルを更新するかどうかを前記チャネル品質情報に従って判定する前記ステップは、前記第２の変調マッピングテーブルが前記第２の高次変調マッピングテーブルであるとともに、前記チャネル品質情報がチャネル品質しきい値より小さい場合に、前記ユーザ装置により、前記第２の変調マッピングテーブルを更新することを判定するステップであって、更新された第２の変調マッピングテーブルが前記第２の低次変調マッピングテーブルである、ステップか、又は、前記第２の変調マッピングテーブルが前記第２の低次変調マッピングテーブルであるとともに、前記チャネル品質情報がチャネル品質しきい値より大きい場合に、前記ユーザ装置により、前記第２の変調マッピングテーブルを更新することを判定するステップであって、更新された第２の変調マッピングテーブルが前記第２の高次変調マッピングテーブルである、ステップを含む。
【００２４】
本発明の実施例の第２の態様の第６の可能な実施方法に関連して、本発明の実施例の第２の態様の第７の可能な実施方法において、当該方法は、前記ユーザ装置により、第２の更新情報を前記基地局に送信するステップであって、前記第２の更新情報が前記第１の変調マッピングテーブルを更新するように前記基地局に指示するために使用される、ステップを更に含む。
【００２５】
本発明の実施例の第２の態様の第４の可能な実施方法、又は第２の態様の第７の可能な実施方法に関連して、本発明の実施例の第２の態様の第８の可能な実施方法において、前記第１の更新情報又は前記第２の更新情報は、無線リソース制御メッセージにより伝達される。
【００２６】
本発明の実施例の第２の態様の第４の可能な実施方法、又は第２の態様の第７の可能な実施方法に関連して、本発明の実施例の第２の態様の第９の可能な実施方法において、前記第１の更新情報は、物理層ダウンリンク制御チャネルを使用することにより伝送される。
【００２７】
本発明の実施例の第３の態様は、基地局であって、高次変調が２５６直交振幅変調ＱＡＭを含み、低次変調が６４ＱＡＭ、１６ＱＡＭ及び直交位相シフトキーイングＱＰＳＫのうちの少なくとも１つを含み、当該基地局が、第１の受信ユニット、判定ユニット、第１の送信ユニット及び第１の記憶ユニットを含み、前記第１の受信ユニットが、ユーザ装置により送信された能力レベル情報を受信し、前記ユーザ装置が前記高次変調をサポートすること又は前記低次変調をサポートすることを示すために前記能力レベル情報が使用される、ように構成され、前記判定ユニットが、前記ユーザ装置と通信するために使用される第１の変調マッピングテーブルを前記ユーザ装置により送信された前記能力レベル情報に従って判定し、前記第１の変調マッピングテーブルが前記第１の高次変調マッピングテーブル又は前記第１の低次変調マッピングテーブルである、ように構成され、前記判定ユニットが、変調及び符号化スキームインデックスを前記変調マッピングテーブルに従って判定し、前記変調及び符号化スキームインデックスが変調及び符号化スキームを判定するために前記ユーザ装置により使用される、ように更に構成され、第１の送信ユニットが、前記変調及び符号化スキームインデックスを前記ユーザ装置に送信するように構成され、前記第１の記憶ユニットが、前記高次変調をサポートする第１の高次変調マッピングテーブル及び前記低次変調をサポートする第１の低次変調マッピングテーブルを記憶するように構成される、基地局を提供する。
【００２８】
本発明の実施例の第３の態様の第１の可能な実施方法において、前記判定ユニットにより、前記ユーザ装置と通信するために使用される第１の変調マッピングテーブルを前記ユーザ装置により送信された前記能力レベル情報に従って判定する前記ステップは、前記ユーザ装置が前記高次変調をサポートすることを前記能力レベル情報が示す場合に、当該基地局により、前記変調マッピングテーブルが前記第１の高次変調マッピングテーブルであることを判定するステップであって、前記ユーザ装置が前記高次変調をサポートする第２の高次変調マッピングテーブルを記憶する、ステップを含む。
【００２９】
本発明の実施例の第３の態様の第２の可能な実施方法において、前記判定ユニットにより、前記ユーザ装置と通信するために使用される第１の変調マッピングテーブルを前記ユーザ装置により送信された前記能力レベル情報に従って判定する前記ステップは、前記ユーザ装置が前記高次変調をサポートすることを前記能力レベル情報が示すとともに、信号対干渉雑音比ＳＩＮＲがＳＩＮＲしきい値より大きい場合に、当該基地局により、前記第１の変調マッピングテーブルが前記第１の高次変調マッピングテーブルであることを判定するか、又は、前記ユーザ装置が前記高次変調をサポートすることを前記能力レベル情報が示すとともに、信号対干渉雑音比ＳＩＮＲがＳＩＮＲしきい値より小さい場合に、当該基地局により、前記第１の変調マッピングテーブルが前記第１の低次変調マッピングテーブルであることを判定するステップであって、前記ユーザ装置が前記高次変調をサポートする第２の高次変調マッピングテーブル及び前記低次変調をサポートする第２の低次変調マッピングテーブルを記憶する、ステップを含む。
【００３０】
本発明の実施例の第３の態様、又は第３の態様の第１から第２の可能な実施方法のいずれかに関連して、本発明の実施例の第３の態様の第３の可能な実施方法において、前記ユーザ装置が前記高次変調をサポートする前記第２の高次変調マッピングテーブル及び前記低次変調をサポートする前記第２の低次変調マッピングテーブルを記憶する場合に、前記第１の受信ユニットは、前記ユーザ装置により報告されたチャネル品質情報を受信し、前記チャネル品質情報がチャネル品質指標ＣＱＩを含む、ように更に構成され、前記判定ユニットは、前記第１の変調マッピングテーブルを更新するかどうかを前記チャネル品質情報に従って判定するように更に構成される。
【００３１】
本発明の実施例の第３の態様の第３の可能な実施方法に関連して、本発明の実施例の第３の態様の第４の可能な実施方法において、前記判定ユニットにより、前記第１の変調マッピングテーブルを更新するかどうかを前記チャネル品質情報に従って判定する前記ステップは、前記第１の変調マッピングテーブルが前記第１の高次変調マッピングテーブルであるとともに、前記チャネル品質情報がチャネル品質しきい値より小さい場合に、当該基地局により、前記第１の変調マッピングテーブルを更新することを判定するステップであって、更新された第１の変調マッピングテーブルが前記第１の低次変調マッピングテーブルである、ステップか、又は、前記第１の変調マッピングテーブルが前記第１の低次変調マッピングテーブルであるとともに、前記チャネル品質情報がチャネル品質しきい値より大きい場合に、当該基地局により、前記第１の変調マッピングテーブルを更新することを判定するステップであって、更新された第１の変調マッピングテーブルが前記第１の高次変調マッピングテーブルである、ステップを含む。
【００３２】
本発明の実施例の第３の態様の第４の可能な実施方法に関連して、本発明の実施例の第３の態様の第５の可能な実施方法において、前記第１の送信ユニットは、第１の更新情報を前記ユーザ装置に送信し、前記第１の更新情報が第２の変調マッピングテーブルを更新するように前記ユーザ装置に指示するために使用され、前記第２の変調マッピングテーブルが、当該基地局と通信するために使用されるとともに、前記第２の高次変調マッピングテーブル又は前記第２の低次変調マッピングテーブルである、ように更に構成される。
【００３３】
本発明の実施例の第３の態様、又は第３の態様の第１から第２の可能な実施方法のいずれかに関連して、本発明の実施例の第３の態様の第６の可能な実施方法において、前記ユーザ装置が前記高次変調をサポートする前記第２の高次変調マッピングテーブル及び前記低次変調をサポートする前記第２の低次変調マッピングテーブルを記憶する場合に、前記第１の受信ユニットは、前記ユーザ装置により送信された第２の更新情報を受信し、前記第２の更新情報が前記第１の変調マッピングテーブルを更新するように前記基地局に指示するために使用される、ように更に構成される。
【００３４】
本発明の実施例の第３の態様の第５の可能な実施方法、又は本発明の実施例の第３の態様の第６の可能な実施方法に関連して、本発明の実施例の第３の態様の第７の可能な実施方法において、前記第１の更新情報又は前記第２の更新情報は、無線リソース制御メッセージにより伝達される。
【００３５】
本発明の実施例の第３の態様の第５の可能な実施方法、又は本発明の実施例の第３の態様の第６の可能な実施方法に関連して、本発明の実施例の第３の態様の第８の可能な実施方法において、前記第１の更新情報は、物理層ダウンリンク制御チャネルを使用することにより伝送される。
【００３６】
本発明の実施例の第４の態様は、第２の送信ユニット、第２の受信ユニット、第２の判定ユニット及び第２の記憶ユニットを含むユーザ装置であって、前記第２の送信ユニットが、能力レベル情報を基地局に送信し、当該ユーザ装置が高次変調又は低次変調をサポートすることを示すために前記能力レベル情報が使用され、前記高次変調が２５６直交振幅変調ＱＡＭを含み、前記低次変調が６４ＱＡＭ、１６ＱＡＭ及び直交位相シフトキーイングＱＰＳＫのうちの少なくとも１つを含み、前記基地局が前記高次変調をサポートする第１の高次変調マッピングテーブル及び前記低次変調をサポートする第１の低次変調マッピングテーブルを記憶する、ように構成され、前記第２の受信ユニットが、前記基地局により送信された変調及び符号化スキームインデックスを受信し、前記変調及び符号化スキームインデックスが第１の変調マッピングテーブルに従って前記基地局により判定され、前記第１の変調マッピングテーブルが前記第１の高次変調マッピングテーブル又は前記第１の低次変調マッピングテーブルである、ように構成され、前記第２の判定ユニットが、前記基地局と通信するための第２の変調マッピングテーブルを判定するとともに、前記第２の変調マッピングテーブルと前記変調及び符号化スキームインデックスに従って変調及び符号化スキームを判定するように構成され、前記第２の記憶ユニットが、前記高次変調をサポートする第２の高次変調マッピングテーブル及び前記低次変調をサポートする第２の低次変調マッピングテーブルのうちの少なくとも１つを記憶し、前記第２の変調マッピングテーブルが前記第２の高次変調マッピングテーブル又は前記第２の低次変調マッピングテーブルである、ように構成される、ユーザ装置を提供する。
【００３７】
本発明の実施例の第４の態様の第１の可能な実施方法において、当該ユーザ装置が前記高次変調をサポートする前記第２の高次変調マッピングテーブルを記憶する場合に、前記第２の判定ユニットにより、前記基地局と通信するための第２の変調マッピングテーブルを判定する前記ステップは、デフォルト設定で前記第２の高次変調マッピングテーブルを前記第２の変調マッピングテーブルとして使用するステップを含む。
【００３８】
本発明の実施例の第４の態様の第２の可能な実施方法において、当該ユーザ装置が前記高次変調をサポートする前記第２の高次変調マッピングテーブル及び前記低次変調をサポートする前記第２の低次変調マッピングテーブルを記憶する場合に、前記第２の判定ユニットにより、前記基地局と通信するための第２の変調マッピングテーブルを判定する前記ステップは、信号対干渉雑音比ＳＩＮＲがＳＩＮＲしきい値より大きい場合に、当該ユーザ装置により、前記第２の変調マッピングテーブルが前記第２の高次変調マッピングテーブルであることを判定するか、又は、信号対干渉雑音比ＳＩＮＲがＳＩＮＲしきい値より小さい場合に、当該ユーザ装置により、前記第２の変調マッピングテーブルが前記第２の低次変調マッピングテーブルであることを判定するステップを含む。
【００３９】
本発明の実施例の第４の態様、又は第４の態様の第１から第２の可能な実施方法のいずれかに関連して、本発明の実施例の第４の態様の第３の可能な実施方法において、前記第２の記憶ユニットが前記高次変調をサポートする前記第２の高次変調マッピングテーブル及び前記低次変調をサポートする前記第２の低次変調マッピングテーブルを記憶する場合に、前記第２の送信ユニットは、チャネル品質情報を前記基地局に送信し、前記チャネル品質情報が前記第１の変調マッピングテーブルを更新するかどうかを判定するために前記基地局により使用されるとともに、前記チャネル品質情報がチャネル品質指標ＣＱＩを含む、ように更に構成される。
【００４０】
本発明の実施例の第４の態様の第３の可能な実施方法に関連して、本発明の実施例の第４の態様の第４の可能な実施方法において、前記第２の受信ユニットは、前記基地局により送信された第１の更新情報を受信するように更に構成され、当該ユーザ装置は、前記第１の更新情報に従って前記第２の変調マッピングテーブルを更新するように構成される更新ユニットを更に含む。
【００４１】
本発明の実施例の第４の態様、又は第４の態様の第１から第２の可能な実施方法のいずれかに関連して、本発明の実施例の第４の態様の第５の可能な実施方法において、前記第２の記憶ユニットが前記高次変調をサポートする前記第２の高次変調マッピングテーブル及び前記低次変調をサポートする前記第２の低次変調マッピングテーブルを記憶する場合に、前記第２の判定ユニットは、チャネル品質情報を判定し、前記チャネル品質情報がチャネル品質指標を含むとともに、前記第２の変調マッピングテーブルを更新するかどうかを前記チャネル品質情報に従って判定する、ように更に構成される。
【００４２】
本発明の実施例の第４の態様の第５の可能な実施方法に関連して、本発明の実施例の第４の態様の第６の可能な実施方法において、前記第２の判定ユニットにより、前記第２の変調マッピングテーブルを更新するかどうかを前記チャネル品質情報に従って判定する前記ステップは、前記第２の変調マッピングテーブルが前記第２の高次変調マッピングテーブルであるとともに、前記チャネル品質情報がチャネル品質しきい値より小さい場合に、当該ユーザ装置により、前記第２の変調マッピングテーブルを更新することを判定するステップであって、更新された第２の変調マッピングテーブルが前記第２の低次変調マッピングテーブルである、ステップか、又は、前記第２の変調マッピングテーブルが前記第２の低次変調マッピングテーブルであるとともに、前記チャネル品質情報がチャネル品質しきい値より大きい場合に、当該ユーザ装置により、前記第２の変調マッピングテーブルを更新することを判定するステップであって、更新された第２の変調マッピングテーブルが前記第２の高次変調マッピングテーブルである、ステップを含む。
【００４３】
本発明の実施例の第４の態様の第６の可能な実施方法に関連して、本発明の実施例の第４の態様の第７の可能な実施方法において、前記第２の送信ユニットは、第２の更新情報を前記基地局に送信し、前記第２の更新情報が前記第１の変調マッピングテーブルを更新するように前記基地局に指示するために使用される、ように更に構成される。
【００４４】
本発明の実施例の第４の態様の第４の可能な実施方法、又は本発明の実施例の第４の態様の第７の可能な実施方法に関連して、本発明の実施例の第４の態様の第８の可能な実施方法において、前記第１の更新情報又は前記第２の更新情報は、無線リソース制御メッセージにより伝達される。
【００４５】
本発明の実施例の第４の態様の第４の可能な実施方法、又は本発明の実施例の第４の態様の第７の可能な実施方法に関連して、本発明の実施例の第４の態様の第９の可能な実施方法において、前記第１の更新情報は、物理層ダウンリンク制御チャネルを使用することにより伝送される。
【００４６】
前述の技術的解決法から分かり得るように、本発明の実施例では、基地局は、高次変調をサポートする第１の高次変調マッピングテーブル及び低次変調をサポートする第１の低次変調マッピングテーブルを記憶し、基地局は、ユーザ装置により送信された能力レベル情報を受信し、基地局は、ユーザ装置と通信するために使用される第１の変調マッピングテーブルをユーザ装置により送信された能力レベル情報に従って判定し、基地局は、変調及び符号化スキームインデックスを変調マッピングテーブルに従って判定し、ここで、変調及び符号化スキームインデックスは、変調及び符号化スキームを判定するためにユーザ装置により使用され、変調及び符号化スキームインデックスは、ユーザ装置に送信される。したがって、本発明の実施例において提供された技術的解決法によれば、基地局は、２５６ＱＡＭ変調をサポートするＵＥ及び２５６ＱＡＭ変調をサポートしないＵＥにサービスを互換的に提供することができ、それにより、従来技術における基地局の非互換性の問題を克服する。
【００４７】
本発明の実施例におけるか又は従来技術における技術的解決法をより明確に説明するために、下記は、実施例又は従来技術を説明するために必要とされる添付図面を簡単に紹介する。明らかに、下記の説明における添付図面は本発明の単にいくつかの実施例を表すとともに、当業者は、創造的な努力なしでこれらの添付図面からさらに他の図面を導き出し得る。
【図面の簡単な説明】
【００４８】
【図１】従来技術におけるマッピングテーブルの一例である。
【図２】本発明の実施例１による高次変調及び低次変調に対応している伝送方法の簡単な概要のフローチャートである。
【図３】本発明の実施例２による高次変調及び低次変調に対応している伝送方法の簡単な概要のフローチャートである。
【図４】本発明の実施例３による高次変調及び低次変調に対応している伝送方法の簡単な概要のフローチャートである。
【図５】本発明の実施例によるマッピングテーブルの一例である。
【図６】本発明の実施例４による高次変調及び低次変調に対応している伝送方法の簡単な概要のフローチャートである。
【図７】本発明の実施例５による高次変調及び低次変調に対応している伝送方法の簡単な概要のフローチャートである。
【図８】本発明の実施例６による基地局の簡単な概略図である。
【図９】本発明の実施例７によるユーザ装置の簡単な概略図である。
【図１０】本発明の実施例８による基地局の簡単な概略図である。
【図１１】本発明の実施例９によるユーザ装置の簡単な概略図である。
【発明を実施するための形態】
【００４９】
本発明の実施例の目的、技術的解決法及び利点をより明確にするために、下記は、本発明の実施例における添付図面を参照して、本発明の実施例における技術的解決法を説明する。明らかに、説明される実施例は本発明の実施例の全てよりむしろ一部である。創作的な努力なしで本発明の実施例に基づいて当業者により獲得される他の全ての実施例は、本発明の保護範囲に含まれるものとする。
【００５０】
本発明の実施例は、高次変調及び低次変調に対応している伝送方法、並びに装置を提供し、技術的解決法は、ネットワーク装置（基地局のような）及びユーザ装置（ＵＥ）を主として包含する。基地局は、ユーザ装置（user  equipment、略して“ＵＥ”）、又は中継サイトのような別の通信サイトと通信する装置であり得る。基地局は、特定の地理的領域に通信カバレージを提供し得る。例えば、基地局は、具体的には、ＵＭＴＳにおけるノードＢ（Node  B、略して“ＮＢ”）であり得るか、又は、ＬＴＥ又はＬＴＥ−Ａにおける進化型ＮｏｄｅＢ（Evolutional  Node  B、略して“ＥＮＢ”又は“ｅＮｏｄｅＢ”）であり得るか、又は、アクセスサービスを提供するための無線通信ネットワークにおける別のアクセスネットワーク装置であり得るとともに、それは、本発明の実施例では限定されない。ＵＥは、端末（terminal）、移動局（mobile  station）、加入者ユニット（subscriber  unit）、ステーション（station）などと言われ得る。例えば、ＵＥは、具体的には、携帯電話（cellular  phone）、携帯情報機器（personal  digital  assistant、略してＰＤＡ）、無線モデム（modem）、無線通信装置、ハンドヘルドデバイス（handheld）、ラップトップコンピュータ（laptop  computer）、コードレス電話（cordless  phone）又は同様のものであり得る。下記は、ｅＮＢを説明のための一例として使用する。
【００５１】
本発明の実施例は、具体的な実施例を参照して下記で詳細に説明される。
【実施例１】
【００５２】
本発明のこの実施例は、高次変調及び低次変調に対応している伝送方法を提供する。図２において示されたように、方法における高次変調は２５６直交振幅変調ＱＡＭを含み、低次変調は６４ＱＡＭ、１６ＱＡＭ及び直交位相シフトキーイングＱＰＳＫのうちの少なくとも１つを含み、基地局は高次変調をサポートする第１の高次変調マッピングテーブル及び低次変調をサポートする第１の低次変調マッピングテーブルを記憶し、方法は下記のステップを含む。
【００５３】
ステップＡ１：基地局が、ユーザ装置により送信された能力レベル情報を受信し、ここで、能力レベル情報はユーザ装置が高次変調をサポートすること又は低次変調をサポートすることを示すために使用される。
【００５４】
能力レベル情報は、ＵＥのネットワーク接続段階においてｅＮＢに送信され得るが、しかし、この実施例は、能力レベル情報を受信する時がＵＥのネットワーク接続段階であることに限定せず、能力レベル情報は、別のプロセスにおいて受信され得る。
【００５５】
ステップＡ２：基地局が、ユーザ装置と通信するために使用される第１の変調マッピングテーブルをユーザ装置により送信された能力レベル情報に従って判定し、ここで、第１の変調マッピングテーブルは第１の高次変調マッピングテーブル又は第１の低次変調マッピングテーブルである。
【００５６】
第１の高次変調マッピングテーブルは、基地局において記憶され、そして下記の実施例で説明される、２５６ＱＡＭをサポートするマッピングテーブルのことを指し得るとともに、第１の低次変調マッピングテーブルは、基地局において記憶され、そして下記の実施例で説明される、２５６ＱＡＭをサポートしないマッピングテーブルのことを指し得る、ということに注意が必要である。
【００５７】
ステップＡ２の具体的な実施方法は、ユーザ装置が高次変調をサポートすることを能力レベル情報が示す場合に、基地局により、変調マッピングテーブルが第１の高次変調マッピングテーブルであることを判定するステップであって、ユーザ装置が高次変調をサポートする第２の高次変調マッピングテーブルを記憶する、ステップであり得る。
【００５８】
ステップＡ２の別の具体的な実施方法は、ユーザ装置が高次変調をサポートすることを能力レベル情報が示すとともに、信号対干渉雑音比ＳＩＮＲがＳＩＮＲしきい値より大きい（又はＳＩＮＲしきい値に等しい）場合に、基地局により、第１の変調マッピングテーブルが第１の高次変調マッピングテーブルであることを判定するか、又は、ユーザ装置が高次変調をサポートすることを能力レベル情報が示すとともに、信号対干渉雑音比ＳＩＮＲがＳＩＮＲしきい値より小さい場合に、基地局により、第１の変調マッピングテーブルが第１の低次変調マッピングテーブルであることを判定するステップであって、ユーザ装置が高次変調をサポートする第２の高次変調マッピングテーブル及び低次変調をサポートする第２の低次変調マッピングテーブルを記憶する、ステップであり得る。
【００５９】
前述のステップＡ２の具体的な実施方法は、具体的な実施例を参照して下記の実施例において説明される。
【００６０】
ステップＡ３：基地局が、変調及び符号化スキームインデックスを変調マッピングテーブルに従って判定し、ここで、変調及び符号化スキームインデックスは変調及び符号化スキームを判定するためにユーザ装置により使用される。
【００６１】
ｅＮＢは、ＵＥにより要求されたトラフィック量情報、及びＵＥにより報告されたＣＱＩを取得し、ＵＥのＣＱＩを取得したあとで、ｅＮＢはＵＥのＣＱＩを対応するＳＩＮＲに変換し、そして、ＭＣＳ及びＳＩＮＲのテーブルに従って、ＭＣＳインデックスの値並びに変調次数とトランスポートブロックサイズインデックスの値を判定する。
【００６２】
ステップＡ４：基地局が、変調及び符号化スキームインデックスをユーザ装置に送信する。
【００６３】
この実施例の前述の説明を通じて、方法では、基地局は、高次変調をサポートする第１の高次変調マッピングテーブル及び低次変調をサポートする第１の低次変調マッピングテーブルを記憶し、基地局は、ユーザ装置により送信された能力レベル情報を受信し、基地局は、ユーザ装置と通信するために使用される第１の変調マッピングテーブルをユーザ装置により送信された能力レベル情報に従って判定し、基地局は、変調及び符号化スキームインデックスを変調マッピングテーブルに従って判定し、ここで、変調及び符号化スキームインデックスは、変調及び符号化スキームを判定するためにユーザ装置により使用され、変調及び符号化スキームインデックスは、ユーザ装置に送信される。したがって、２５６ＱＡＭをサポートするＵＥと２５６ＱＡＭをサポートしないＵＥの両方は、データ伝送を実行するために、変調及び符号化スキームインデックスを正確に判定することができる。したがって、この実施例において提供された方法では、ｅＮＢは、２５６ＱＡＭ変調をサポートするＵＥ及び２５６ＱＡＭ変調をサポートしないＵＥにサービスを互換的に提供することができ、それにより、従来技術におけるｅＮＢの非互換性の問題を克服する。
【００６４】
任意に、ユーザ装置が高次変調をサポートする第２の高次変調マッピングテーブル及び低次変調をサポートする第２の低次変調マッピングテーブルを記憶する場合に、方法は下記のステップを更に含む。
【００６５】
ステップＡ５：基地局が、ユーザ装置により報告されたチャネル品質情報を受信し、ここで、チャネル品質情報はチャネル品質指標ＣＱＩを含む。
【００６６】
ステップＡ６：基地局が、第１の変調マッピングテーブルを更新するかどうかをチャネル品質情報に従って判定する。
【００６７】
ステップＡ６における、基地局により、第１の変調マッピングテーブルを更新するかどうかをチャネル品質情報に従って判定するステップの実施解決法は、第１の変調マッピングテーブルが第１の高次変調マッピングテーブルであるとともに、チャネル品質情報がチャネル品質しきい値より小さい場合に、基地局により、第１の変調マッピングテーブルを更新することを判定するステップであって、更新された第１の変調マッピングテーブルが第１の低次変調マッピングテーブルである、ステップか、又は、第１の変調マッピングテーブルが第１の低次変調マッピングテーブルであるとともに、チャネル品質情報がチャネル品質しきい値より大きい（又はチャネル品質しきい値に等しい）場合に、基地局により、第１の変調マッピングテーブルを更新することを判定するステップであって、更新された第１の変調マッピングテーブルが第１の高次変調マッピングテーブルである、ステップであり得る。
【００６８】
任意に、方法は下記のステップを更に含む。
【００６９】
ステップＡ７：基地局が、第１の更新情報をユーザ装置に送信し、ここで、第１の更新情報は第２の変調マッピングテーブルを更新するようにユーザ装置に指示するために使用され、第２の変調マッピングテーブルは、基地局と通信するために使用されるとともに、第２の高次変調マッピングテーブル又は第２の低次変調マッピングテーブルである。
【００７０】
任意に、ユーザ装置が高次変調をサポートする第２の高次変調マッピングテーブル及び低次変調をサポートする第２の低次変調マッピングテーブルを記憶する場合に、方法は下記のステップを更に含む。
【００７１】
ステップＡ８：基地局が、ユーザ装置により送信された第２の更新情報を受信し、ここで、第２の更新情報は第１の変調マッピングテーブルを更新するように基地局に指示するために使用される。
【００７２】
第１の更新情報又は第２の更新情報は、無線リソース制御メッセージにより伝達される。
【００７３】
その代わりに、第１の更新情報は、物理層ダウンリンク制御チャネルを使用することにより伝送される。
【実施例２】
【００７４】
本発明のこの実施例は、ユーザ装置により使用される伝送方法を提供する。図３において示されたように、方法は下記のステップを含む。
【００７５】
ステップＢ１：ユーザ装置が、能力レベル情報を基地局に送信し、ここで、能力レベル情報はユーザ装置が高次変調又は低次変調をサポートすることを示すために使用され、高次変調は２５６直交振幅変調ＱＡＭを含み、低次変調は６４ＱＡＭ、１６ＱＡＭ及び直交位相シフトキーイングＱＰＳＫのうちの少なくとも１つを含み、基地局は高次変調をサポートする第１の高次変調マッピングテーブル及び低次変調をサポートする第１の低次変調マッピングテーブルを記憶する。
【００７６】
ステップＢ２：ユーザ装置が、基地局により送信された変調及び符号化スキームインデックスを受信し、ここで、変調及び符号化スキームインデックスは第１の変調マッピングテーブルに従って基地局により判定され、第１の変調マッピングテーブルは第１の高次変調マッピングテーブル又は第１の低次変調マッピングテーブルである。
【００７７】
ステップＢ３：ユーザ装置が、基地局と通信するための第２の変調マッピングテーブルを判定するとともに、第２の変調マッピングテーブルと変調及び符号化スキームインデックスに従って変調及び符号化スキームを判定する。
【００７８】
ユーザ装置は、高次変調をサポートする第２の高次変調マッピングテーブル及び低次変調をサポートする第２の低次変調マッピングテーブルのうちの少なくとも１つを記憶し、第２の変調マッピングテーブルは第２の高次変調マッピングテーブル又は第２の低次変調マッピングテーブルである。
【００７９】
第２の高次変調マッピングテーブルは、ユーザ装置において記憶され、そして下記の実施例で説明される、２５６ＱＡＭをサポートするマッピングテーブルのことを指し得るとともに、第２の低次変調マッピングテーブルは、ユーザ装置において記憶され、そして下記の実施例で説明される、２５６ＱＡＭをサポートしないマッピングテーブルのことを指し得る、ということに注意が必要である。
【００８０】
この実施例の前述の説明を通じて、方法では、ユーザ装置は、能力レベル情報を基地局に送信し、基地局により送信された変調及び符号化スキームインデックスを受信し、そして、ユーザ装置は、基地局と通信するための第２の変調マッピングテーブルを判定するとともに、第２の変調マッピングテーブルと変調及び符号化スキームインデックスに従って変調及び符号化スキームを判定し、ここで、ユーザ装置は、高次変調をサポートする第２の高次変調マッピングテーブル及び低次変調をサポートする第２の低次変調マッピングテーブルのうちの少なくとも１つを記憶し、その結果、ｅＮＢは、２５６ＱＡＭ変調をサポートするＵＥ及び２５６ＱＡＭ変調をサポートしないＵＥにサービスを互換的に提供することができ、それにより、従来技術におけるｅＮＢの非互換性の問題を克服する。
【００８１】
任意に、ユーザ装置が高次変調をサポートする第２の高次変調マッピングテーブルを記憶する場合に、ユーザ装置により、基地局と通信するための第２の変調マッピングテーブルを判定するステップは、ユーザ装置により、デフォルト設定で第２の高次変調マッピングテーブルを第２の変調マッピングテーブルとして使用するステップを含む。
【００８２】
任意に、ユーザ装置が高次変調をサポートする第２の高次変調マッピングテーブル及び低次変調をサポートする第２の低次変調マッピングテーブルを記憶する場合に、ユーザ装置により、基地局と通信するための第２の変調マッピングテーブルを判定するステップは、信号対干渉雑音比ＳＩＮＲがＳＩＮＲしきい値より大きい（又はＳＩＮＲしきい値に等しい）場合に、ユーザ装置により、第２の変調マッピングテーブルが第２の高次変調マッピングテーブルであることを判定するか、又は、信号対干渉雑音比ＳＩＮＲがＳＩＮＲしきい値より小さい場合に、ユーザ装置により、第２の変調マッピングテーブルが第２の低次変調マッピングテーブルであることを判定するステップを含む。
【００８３】
任意に、ユーザ装置が高次変調をサポートする第２の高次変調マッピングテーブル及び低次変調をサポートする第２の低次変調マッピングテーブルを記憶する場合に、方法は下記のステップを更に含む。
【００８４】
ステップＢ４：ユーザ装置が、チャネル品質情報を基地局に送信し、ここで、チャネル品質情報は第１の変調マッピングテーブルを更新するかどうかを判定するために基地局により使用されるとともに、チャネル品質情報はチャネル品質指標ＣＱＩを含む。
【００８５】
任意に、方法は下記のステップを更に含む。
【００８６】
ステップＢ５：ユーザ装置が、基地局により送信された第１の更新情報を受信するとともに、第１の更新情報に従って第２の変調マッピングテーブルを更新する。
【００８７】
任意に、ユーザ装置が高次変調をサポートする第２の高次変調マッピングテーブル及び低次変調をサポートする第２の低次変調マッピングテーブルを記憶する場合に、方法は下記のステップを更に含む。
【００８８】
ステップＢ６：ユーザ装置が、チャネル品質情報を判定し、ここで、チャネル品質情報はチャネル品質指標を含む。
【００８９】
ユーザ装置は、第２の変調マッピングテーブルを更新するかどうかをチャネル品質情報に従って判定する。
【００９０】
任意に、ユーザ装置により、第２の変調マッピングテーブルを更新するかどうかをチャネル品質情報に従って判定するステップは、第２の変調マッピングテーブルが第２の高次変調マッピングテーブルであるとともに、チャネル品質情報がチャネル品質しきい値より小さい場合に、ユーザ装置により、第２の変調マッピングテーブルを更新することを判定するステップであって、更新された第２の変調マッピングテーブルが第２の低次変調マッピングテーブルである、ステップか、又は、第２の変調マッピングテーブルが第２の低次変調マッピングテーブルであるとともに、チャネル品質情報がチャネル品質しきい値より大きい（又はチャネル品質しきい値に等しい）場合に、ユーザ装置により、第２の変調マッピングテーブルを更新することを判定するステップであって、更新された第２の変調マッピングテーブルが第２の高次変調マッピングテーブルである、ステップを具体的に含む。
【００９１】
任意に、方法は下記のステップを更に含む。
【００９２】
ステップＢ７：ユーザ装置が、第２の更新情報を基地局に送信し、ここで、第２の更新情報は第１の変調マッピングテーブルを更新するように基地局に指示するために使用される。
【００９３】
第１の更新情報又は第２の更新情報は、無線リソース制御メッセージにより伝達される。
【００９４】
その代わりに、第１の更新情報は、物理層ダウンリンク制御チャネルを使用することにより伝送される。
【実施例３】
【００９５】
本発明のこの実施例は、高次変調及び低次変調に対応している伝送方法を提供し、ここで、方法は、実施例１及び実施例２に基づいており、そして複数の装置間の対話を反映する解決法である。図４において示されたように、方法は下記のステップを含む。
【００９６】
ステップ１０１：ＵＥが、能力レベル情報をｅＮＢに送信し、ここで、能力レベル情報はＵＥが２５６ＱＡＭをサポートするかどうかを示す。
【００９７】
ＵＥは、能力レベル情報をＵＥのネットワーク接続段階において送信し得るが、しかし、この実施例は、能力レベル情報を送信する時がＵＥのネットワーク接続段階であることに限定せず、能力レベル情報は、別のプロセスにおいて送信され得る。
【００９８】
ステップ１０２：ＵＥが、チャネル品質情報をｅＮＢに送信し、ここで、チャネル品質情報は具体的に言うとチャネル品質指標（ＣＱＩ、Channel  Quality  Indicator）であり得る。
【００９９】
ステップ１０３：ｅＮＢが、ＵＥにより送信された能力レベル情報を受信するとともに、能力レベル情報を記憶する。
【０１００】
ステップ１０４：ｅＮＢが、ＵＥにより送信されたチャネル品質情報を受信するとともに、チャネル品質情報に従って変調次数及びＴＢＳインデックスを判定する。
【０１０１】
チャネル品質情報に従って変調次数及びＴＢＳインデックスを判定するステップの具体的な動作は、ｅＮＢにより、ＵＥにより要求されたトラフィック量情報、ＵＥにより報告されたＣＱＩ、そしてｅＮＢの現在のリソース状態を取得し、総合的な解析を実行したあとで、変調次数及びＴＢＳインデックスを判定するステップであり得る。
【０１０２】
ステップ１０５：ｅＮＢが、記憶された能力レベル情報並びに判定された変調次数とＴＢＳインデックスに従って能力レベル情報に対応するマッピングテーブルを選択するとともに、変調及び符号化スキームインデックス（ＩＭＣＳ）を判定し、ここで、変調及び符号化スキームインデックスは変調及び符号化スキームを判定するためにユーザ装置により使用される。能力レベル情報に対応する選択されたマッピングテーブルは、実施例１における“第１の変調マッピングテーブル”として理解され得る。
【０１０３】
ＵＥが２５６ＱＡＭをサポートしないということを、もしＵＥにより送信された能力レベル情報が示すならば、能力レベル情報に対応する、ｅＮＢにより選択されたマッピングテーブルは、図１において示された、従来技術におけるマッピングテーブルと同じであるマッピングテーブルのような、２５６ＱＡＭをサポートしないマッピングテーブルである（又は、一般的なマッピングテーブルと言われる）。
【０１０４】
ＵＥが２５６ＱＡＭをサポートするということを、もしＵＥにより送信された能力レベル情報が示すならば、能力レベル情報に対応する、ｅＮＢにより選択されたマッピングテーブルは、図５において示されたマッピングテーブルのような、２５６ＱＡＭをサポートするマッピングテーブルである（又は、高次マッピングテーブルと言われる）。図５の高次マッピングテーブルにおける変調次数番号（Modulation  Order）Ｍ０、Ｍ１、・・・及びＭ３１は、
【数１】
0006342493.tif 000002
により表された変調次数の別の表現方法である。テーブルは、下記のように理解され得る。基地局側により判定された変調次数は、ＱＰＳＫであり（すなわち番号が２であり、すなわちＭ０が２である）、そして判定されたＴＢＳインデックスは、０である（すなわちＴ０が０である）とともに、その場合に、ｅＮＢにより判定されたＭＣＳインデックスは、図５において示されたマッピングテーブルに従って０であるか、又は、ｅＮＢにより判定されたＭＣＳインデックスは、まだ０であるが、しかし、マッピングテーブルにおける対応する変調次数番号及びＴＢＳインデックスは異なり、すなわちＭ０は８（すなわち２５６ＱＡＭ）であり、そしてＴ０は１である、ということが仮定される。ＭＣＳインデックスが０である場合に、（Ｍ０、Ｔ０）は１つ又は複数の値を有することができ、同様に、ＭＣＳインデックスがｉである場合に、（Ｍｉ、Ｔｉ）は１つ又は複数の値を有することができ、すなわち、ｅＮＢは、取得された（Ｍｉ、Ｔｉ）の特定の値に従って、そして図５に示されたマッピングテーブルに従ってＭＣＳインデックスの値を判定し、ここで、ｉの値は（０，３１）である、ように理解され得る。
【０１０５】
さらに、図５において示されたマッピングテーブルは、理解を容易にするための単なる一例であり、本発明のこの実施例を限定することを意図していない、ということが更に理解されるべきである。
【０１０６】
ステップ１０６：ｅＮＢが、判定された変調及び符号化スキームインデックスをＵＥに送信する。
【０１０７】
ステップ１０７：ＵＥが、変調及び符号化スキームインデックスを受信し、記憶されたマッピングテーブルと受信された変調及び符号化スキームインデックスに従って変調次数及びＴＢＳインデックスを判定するとともに、変調及び符号化スキームを判定する。
【０１０８】
もしＵＥが２５６ＱＡＭをサポートしないならば、ｅＮＢによりＵＥに対して送信された変調及び符号化スキームインデックスは、ｅＮＢに記憶された２５６ＱＡＭをサポートしないマッピングテーブルに従って獲得される、ということが理解されるべきである。同様に、データ伝送を実行するために、ＵＥは、変調及び符号化スキームインデックスを受信し、変調次数及びＴＢＳインデックスを判定するために変調及び符号化スキームインデックスをＵＥに記憶された２５６ＱＡＭをサポートしないマッピングテーブルと比較する。
【０１０９】
もしＵＥが２５６ＱＡＭをサポートするならば、ｅＮＢによりＵＥに対して送信された変調及び符号化スキームインデックスは、ｅＮＢに記憶された２５６ＱＡＭをサポートするマッピングテーブルに従って獲得される。同様に、データ伝送を実行するために、ＵＥは、変調及び符号化スキームインデックスを受信し、変調次数及びＴＢＳインデックスを判定するために変調及び符号化スキームインデックスをＵＥに記憶された２５６ＱＡＭをサポートするマッピングテーブルと比較する。
【０１１０】
さらに、もし２５６ＱＡＭをサポートするＵＥがｅＮＢにより送信された変調及び符号化スキームインデックスを受信するならば、２５６ＱＡＭをサポートするＵＥに記憶されたマッピングテーブルは、図５において示されたマッピングテーブルと同じであり得る。最も簡単な実施方法は、下記のようであり得る。図５で示されたマッピングテーブルにおいて、ＭＣＳインデックスがｉである場合に、（Ｍｉ、Ｔｉ）は１つの値だけを有し、したがって、ｅＮＢにより送信された変調及び符号化スキームインデックスを受信する場合に、２５６ＱＡＭをサポートするＵＥは、（Ｍｉ、Ｔｉ）の値を判定し得る。
【０１１１】
２５６ＱＡＭをサポートするＵＥに記憶されたマッピングテーブルが図５に示され、そしてＭＣＳインデックスがｉである場合に、（Ｍｉ、Ｔｉ）は１つより多い値を有し、２５６ＱＡＭをサポートするＵＥは、ＭＣＳインデックスがｉである場合に、ＵＥにより測定されたチャネル品質情報（ＣＱＩのような）に従って（Ｍｉ、Ｔｉ）の特定の値を更に判定し得る。その原理は下記のようである。もしチャネル品質情報が比較的良いならば、特定の値は高次変調次数に対応することができ、すなわち、Ｍｉは２つの特定の値：２及び４を有し、それはそれぞれＱＰＳＫ及び１６ＱＡＭに対応し、もしＵＥの現在のチャネル品質が良いならば、ＵＥにより選択されたＭｉの特定の値は４である（すなわち選択された変調及び符号化スキームが１６ＱＡＭである）とともに、ＵＥは、同じ方法を使用することによりＴｉの値を取得する。
【０１１２】
この実施例の前述の説明を通じて、方法では、ＵＥは、最初に能力レベル情報を報告し、ここで、能力レベル情報はＵＥが２５６ＱＡＭをサポートするかどうかを示し、ＵＥは、変調次数とＴＢＳインデックスをチャネル品質情報に従って判定するためにｅＮＢにより使用される、チャネル品質情報を更に報告し、ｅＮＢは、能力レベル情報並びに判定された変調次数とＴＢＳインデックスに従って能力レベル情報に対応するマッピングテーブルを選択するとともに、変調及び符号化スキームインデックスを判定する。ｅＮＢにより送信されＵＥ側で受信された変調及び符号化スキームインデックスは、ＵＥの能力に従ってｅＮＢにより最終的に判定された変調及び符号化スキームインデックスであり、したがって、２５６ＱＡＭをサポートするＵＥと２５６ＱＡＭをサポートしないＵＥの両方は、データ伝送を実行するために、変調次数とＴＢＳインデックスを正確に判定することができる。したがって、この実施例において提供された方法では、ｅＮＢは、２５６ＱＡＭ変調をサポートするＵＥ及び２５６ＱＡＭ変調をサポートしないＵＥにサービスを互換的に提供することができ、それにより、従来技術におけるｅＮＢの非互換性の問題を克服する。
【実施例４】
【０１１３】
本発明のこの実施例は、高次変調及び低次変調に対応している伝送方法を提供する。方法は、前述の実施例３において説明された方法と同様であり、この実施例において説明された２５６ＱＡＭをサポートするＵＥは、２５６ＱＡＭをサポートするマッピングテーブルを記憶するばかりではなく、２５６ＱＡＭをサポートしないマッピングテーブルを記憶する、という点で差異がある。チャネル品質が比較的悪いか、又はネットワーク側が制御を行う場合に、２５６ＱＡＭをサポートするＵＥは、同様に、データ伝送の基礎として２５６ＱＡＭをサポートしないマッピングテーブルを選択し得る。方法の利点は、図１及び図５に示されたように、２５６ＱＡＭをサポートするＵＥに記憶された２５６ＱＡＭをサポートするマッピングテーブルにおける変調及び符号化スキームインデックス（ＩＭＣＳ）の全体量が、２５６ＱＡＭをサポートしないマッピングテーブルにおける変調及び符号化スキームインデックス（ＩＭＣＳ）の全体量と同じであり、すなわち、２つのマッピングテーブルは同じ全体量の変調及び符号化スキームを有しており、図１及び図５を一例として使用することにより、全体量は３２個である、ということである。２５６ＱＡＭより低いいくつかの変調スキームが２５６ＱＡＭをサポートするマッピングテーブルから削除されるので、２５６ＱＡＭをサポートするマッピングテーブル及び現存する２５６ＱＡＭをサポートしないマッピングテーブルは、異なるチャネル品質に対して特有であるかもしれず、同じ変調スキームに対して、異なるトランスポートブロックサイズＴＢＳポリシーが存在する。
【０１１４】
例えば、図１において示されたように、従来技術では、０から９の変調スキームは、ＱＰＳＫを使用し、そして全体で１０個のＱＰＳＫスキームがある。異なるＱＰＳＫスキームが、異なるトランスポートブロックサイズＴＢＳに対応する。２５６ＱＡＭをサポートするマッピングテーブルでは、ＱＰＳＫのようないくつかの現存する変調及び符号化スキームが削除されるので、２５６ＱＡＭが追加される。したがって、従来技術ではスケジューリングの範囲が増加し、正確なスケジューリングが実行できない。
【０１１５】
しかしながら、本発明の実施例４は、２５６ＱＡＭをサポートするＵＥが必要以上のスケジューリングを実行し、正確なスケジューリングが実施されることができない、という問題を解決することになる。前述の問題は、２５６ＱＡＭをサポートしない現存するマッピングテーブルを同様にＵＥに記憶することにより解決される。具体的な解決法は下記のようになる。
【０１１６】
図６において示されたように、方法は下記のステップを含む。
【０１１７】
ステップ２０１：ＵＥが、能力レベル情報をｅＮＢに送信し、ここで、能力レベル情報はＵＥが２５６ＱＡＭをサポートするかどうかを示す。
【０１１８】
ＵＥは、能力レベル情報をＵＥのネットワーク接続段階において送信し得るが、しかし、この実施例は、能力レベル情報を送信する時がＵＥのネットワーク接続段階であることに限定せず、能力レベル情報は、別のプロセスにおいて送信され得る。
【０１１９】
ステップ２０２：ＵＥが、チャネル品質情報をｅＮＢに送信し、ここで、チャネル品質情報は具体的に言うとチャネル品質指標（ＣＱＩ、Channel  Quality  Indicator）であり得る。
【０１２０】
ステップ２０３：ｅＮＢが、ＵＥにより送信された能力レベル情報を受信するとともに、能力レベル情報を記憶する。
【０１２１】
ステップ２０４：ＵＥ及びｅＮＢが、初期の変調マッピングテーブルを判定し、ここで、ｅＮＢとＵＥの両方は２５６ＱＡＭをサポートするマッピングテーブル及び２５６ＱＡＭをサポートしないマッピングテーブルを含むとともに、初期の変調マッピングテーブルは２５６ＱＡＭをサポートするマッピングテーブル又は２５６ＱＡＭをサポートしないマッピングテーブルである。
【０１２２】
ステップ２０４における、初期の変調マッピングテーブルを判定するステップは、具体的には、デフォルト設定で２５６ＱＡＭをサポートしないマッピングテーブルを使用するか、若しくはデフォルト設定で２５６ＱＡＭをサポートするマッピングテーブルを使用するステップであり得るか、又はネゴシエーションを通して、ＵＥ及びｅＮＢにより、２５６ＱＡＭをサポートするマッピングテーブル若しくは２５６ＱＡＭをサポートしないマッピングテーブルが初期の変調マッピングテーブルであることを判定するステップであり得る。
【０１２３】
ステップ２０５：ｅＮＢが、ＵＥにより送信されたチャネル品質情報を受信するとともに、チャネル品質情報に従って変調次数及びＴＢＳインデックスを判定する。
【０１２４】
ステップ２０６：ｅＮＢが、記憶された能力レベル情報並びに判定された変調及び符号化スキームとＴＢＳインデックスに従って初期の変調マッピングテーブルを選択するとともに、変調及び符号化スキームインデックス（ＩＭＣＳ）を判定する。
【０１２５】
ステップ２０７：ｅＮＢが、判定された変調及び符号化スキームインデックスをＵＥに送信する。
【０１２６】
ステップ２０８：ＵＥが、変調及び符号化スキームインデックスを受信するとともに、データ伝送を実行するために、初期の変調マッピングテーブルと受信された変調及び符号化スキームインデックスに従って変調次数並びにＴＢＳインデックスを判定する。
【０１２７】
本発明のこの実施例で提供された方法の前述の説明を通じて、方法では、ＵＥは、最初に能力レベル情報を報告し、ここで、能力レベル情報はＵＥが２５６ＱＡＭをサポートするかどうかを示し、ＵＥは、変調次数とＴＢＳインデックスをチャネル品質情報に従って判定するためにｅＮＢにより使用される、チャネル品質情報を更に報告し、ｅＮＢは、能力レベル情報並びに判定された変調次数とＴＢＳインデックスに従って能力レベル情報に対応するマッピングテーブルを選択するとともに、変調及び符号化スキームインデックスを判定する。ｅＮＢにより送信されＵＥ側で受信された変調及び符号化スキームインデックスは、ＵＥの能力に従ってｅＮＢにより最終的に判定された変調及び符号化スキームインデックスであり、したがって、２５６ＱＡＭをサポートするＵＥと２５６ＱＡＭをサポートしないＵＥの両方は、データ伝送を実行するために、変調次数とＴＢＳインデックスを正確に判定することができる。したがって、この実施例において提供された方法では、ｅＮＢは、２５６ＱＡＭ変調をサポートするＵＥ及び２５６ＱＡＭ変調をサポートしないＵＥにサービスを互換的に提供することができ、それにより、従来技術におけるｅＮＢの非互換性の問題を克服する。
【０１２８】
さらに、方法では、２５６ＱＡＭをサポートするＵＥは、同様に、２５６ＱＡＭをサポートしないマッピングテーブルを記憶し、その結果、ＵＥは、高次変調におけるデータ伝送を実施することができるばかりでなく、正確なスケジューリングを実施することができる。
【０１２９】
任意に、実際のアプリケーションにおいて、ｅＮＢは、チャネル品質状態、又は、無線リソースの使用条件、又は、他の要因に従って、最初に判定された変調マッピングテーブルを切り替えるように制御し得る。したがって、方法は、下記のステップを更に含み得る。
【０１３０】
ステップ２０９：ｅＮＢが、２５６ＱＡＭ変調をサポートするＵＥに切り替えメッセージを送信し、ここで、切り替えメッセージは実施例１において説明された“第１の更新情報”として理解され得る。
【０１３１】
ステップ２０９における、ｅＮＢにより、２５６ＱＡＭ変調をサポートするＵＥに切り替えメッセージを送信する具体的な実施は、ｅＮＢにより、無線リソース制御（ＲＲＣ、Radio  Resource  Control）メッセージを送信するステップであって、ＲＲＣメッセージがマッピングテーブルを切り替えるための命令を伝達する、ステップであることができ、具体的な動作は、２つのマッピングテーブルの間の切り替えをサポートするフィールドをＲＲＣメッセージに追加することであり得る。説明された２つのマッピングテーブルは、２５６ＱＡＭをサポートするマッピングテーブル及び２５６ＱＡＭをサポートしないマッピングテーブルのことを指す。ＲＲＣ方法を使用することによりスイッチングを行うことの利点は、現存するプロトコルが最も影響を受けないことである。
【０１３２】
その代わりに、ステップ２０９における、ｅＮＢにより、２５６ＱＡＭ変調をサポートするＵＥに切り替えメッセージを送信する具体的な実施は、ｅＮＢにより、物理ダウンリンク制御チャネル（ＰＤＣＣＨ、Physical  Downlink  Control  Channel）を使用することによりダウンリンク制御情報（ＤＣＩ、Downlink  Control  Information）を送信するステップであって、２つのマッピングテーブルのうちの１つを使用するようにＵＥに指示するためにＤＣＩに１ビットが加えられ得る、ステップであり得る。例えば、ＤＣＩフォーマット１（DCI  format  1）及びＤＣＩフォーマット１Ａ（DCI  format  1A）については、ＰＵＣＣＨフィールド（field）用のＴＰＣコマンドに１ビットが加えられることができ、又は、ＤＣＩフォーマット２（DCI  format  2）については、冗長バージョンフィールドに１ビットが加えられることができ、ここで、ＴＰＣは送信電力制御（transmit  power  control）の省略形であり、ＰＵＣＣＨは物理アップリンク制御チャネル（Physical  Uplink  Control  Channel）の省略形である。ＰＤＣＣＨ方法を使用することによりスイッチングを行うことの利点は、リアルタイム性能にあり、リアルタイムの切り替えがサポートされる。
【０１３３】
ｅＮＢ側又はＵＥ側の２つのテーブルは大きなテーブルであることができ、大きなテーブルの前半の部分は２５６ＱＡＭをサポートしないマッピングテーブルであり、大きなテーブルの後半の部分は２５６ＱＡＭをサポートするマッピングテーブルであることができる、ということが更に理解されるべきである。ＰＤＣＣＨペイロード制御方法が、大きなテーブルにおける２５６ＱＡＭをサポートするマッピング部分又は２５６ＱＡＭをサポートしないマッピング部分を使用するように２５６ＱＡＭをサポートするＵＥに指示するために使用される。
【０１３４】
任意に、実際のアプリケーションにおいて、ＵＥが高次変調をサポートする第２の高次変調マッピングテーブル及び低次変調をサポートする第２の低次変調マッピングテーブルを記憶する場合に、方法は下記のステップを更に含む。
【０１３５】
ステップ２１０：ＵＥが、チャネル品質情報を判定し、ここで、チャネル品質情報はチャネル品質指標を含む。
【０１３６】
ステップ２１１：ＵＥが、第２の変調マッピングテーブルを更新するかどうかをチャネル品質情報に従って判定する。
【０１３７】
ステップ２１１における、ＵＥにより、第２の変調マッピングテーブルを更新するかどうかをチャネル品質情報に従って判定するステップは、第２の変調マッピングテーブルが第２の高次変調マッピングテーブルであるとともに、チャネル品質情報がチャネル品質しきい値より小さい場合に、ＵＥにより、第２の変調マッピングテーブルを更新することを判定するステップであって、更新された第２の変調マッピングテーブルが第２の低次変調マッピングテーブルである、ステップか、又は、第２の変調マッピングテーブルが第２の低次変調マッピングテーブルであるとともに、チャネル品質情報がチャネル品質しきい値より大きい（又はチャネル品質しきい値に等しい）場合に、ＵＥにより、第２の変調マッピングテーブルを更新することを判定するステップであって、更新された第２の変調マッピングテーブルが第２の高次変調マッピングテーブルである、ステップを具体的に含む。
【０１３８】
ステップ２１２：ＵＥが、第２の更新情報を基地局に送信し、ここで、第２の更新情報は第１の変調マッピングテーブルを更新するように基地局に指示するために使用される。
【０１３９】
第２の更新情報は、無線リソース制御メッセージにより伝達される。例えば、ＵＥは、ＲＲＣ再構成要求メッセージを使用することにより、ユーザのための第１の変調マッピングテーブルを更新するように基地局に要求し得るとともに、基地局は、基地局及びＵＥの変調マッピングテーブルの整合性を実現するように、最終的な変調マッピングテーブルを判定し、そしてＲＲＣ再構成完了メッセージを使用することによりＵＥに通知する。
【０１４０】
無線リソース制御ＲＲＣメッセージ又は物理ダウンリンク制御チャネルＰＤＣＣＨを使用することにより、上記で説明されたマッピングテーブルを切り替えるようにＵＥを制御する動作は、包括的ではないが、しかし理解を容易にするための一例である。別の具体的な切り替え動作は、本発明のこの実施例では限定されない。
【実施例５】
【０１４１】
本発明のこの実施例は、高次変調及び低次変調に対応している伝送方法を提供するとともに、方法は、実施例４における方法と同様であり、すなわち、２５６ＱＡＭをサポートするＵＥは、２５６ＱＡＭをサポートするマッピングテーブル（又は、黙示的なマッピング情報と言われ、ここで、黙示的なマッピング情報は２５６ＱＡＭをサポートするマッピングテーブルであり得る）を含み、２５６ＱＡＭをサポートするＵＥは、同様に、２５６ＱＡＭをサポートしないマッピングテーブル（又は、明示的なマッピング情報と言われ、ここで、明示的なマッピング情報は２５６ＱＡＭをサポートしないマッピングテーブルであり得る）を含む。
【０１４２】
実施例５と実施例４との間の差異は、この実施例では、ＵＥは、測定を通してＵＥにより獲得されたＣＱＩのようなチャネル品質情報を使用することにより、黙示的な情報を具体的に判定する、という点にある。具体的な説明は下記のとおりである。
【０１４３】
図７において示されたように、方法は下記のステップを含む。
【０１４４】
ステップ３０１：ＵＥが、能力レベル情報をｅＮＢに送信し、ここで、能力レベル情報はＵＥが２５６ＱＡＭをサポートするかどうかを示す。
【０１４５】
ＵＥは、能力レベル情報をＵＥのネットワーク接続段階において送信し得るが、しかし、この実施例は、能力レベル情報を送信する時がＵＥのネットワーク接続段階であることに限定せず、能力レベル情報は、別のプロセスにおいて送信され得る。
【０１４６】
ステップ３０２：ＵＥが、チャネル品質情報をｅＮＢに送信し、ここで、チャネル品質情報は具体的に言うとチャネル品質指標（ＣＱＩ、Channel  Quality  Indicator）であり得る。
【０１４７】
ステップ３０３：ｅＮＢが、ＵＥにより送信された能力レベル情報を受信するとともに、能力レベル情報を記憶する。
【０１４８】
ステップ３０４：ｅＮＢが、ＵＥにより送信されたチャネル品質情報を受信するとともに、チャネル品質情報に従って変調次数及びＴＢＳインデックスを判定する。
【０１４９】
チャネル品質情報に従って変調次数及びＴＢＳインデックスを判定するステップの具体的な動作は、ｅＮＢにより、ＵＥにより要求されたトラフィック量情報、ＵＥにより報告されたＣＱＩ、そしてｅＮＢの現在のリソース状態を取得し、総合的な解析を実行したあとで、変調次数及びＴＢＳインデックスを判定するステップであり得る。
【０１５０】
ステップ３０５：ｅＮＢが、記憶された能力レベル情報並びに判定された変調次数とＴＢＳインデックスに従って能力レベル情報に対応するマッピングテーブルを選択するとともに、変調及び符号化スキームインデックス（ＩＭＣＳ）を判定する。
【０１５１】
ＵＥが２５６ＱＡＭをサポートしないということを、もしＵＥにより送信された能力レベル情報が示すならば、能力レベル情報に対応する、ｅＮＢにより選択されたマッピングテーブルは、図１において示された、従来技術におけるマッピングテーブルと同じであるマッピングテーブルのような、２５６ＱＡＭをサポートしないマッピングテーブルである（それは、同様に、一括して明示的なマッピング情報と言われ得る）。
【０１５２】
ＵＥが２５６ＱＡＭをサポートするということを、もしＵＥにより送信された能力レベル情報が示すならば、能力レベル情報に対応する、ｅＮＢにより選択されたマッピングテーブルは、図５において示されたマッピングテーブルのような、２５６ＱＡＭをサポートするマッピングテーブルである（それは、同様に、一括して黙示的なマッピング情報と言われ得る）。図５の高次マッピングテーブルにおける変調次数番号（Modulation  Order）Ｍ０、Ｍ１、・・・及びＭ３１は、変調次数を別々に表す。テーブルは、下記のように理解され得る。基地局側により判定された変調次数は、ＱＰＳＫであり（すなわち番号が２であり、すなわちＭ０が２である）、そして判定されたＴＢＳインデックスは、０である（すなわちＴ０が０である）とともに、その場合に、ｅＮＢにより判定されたＭＣＳインデックスは、図５において示されたマッピングテーブルに従って０であるか、又は、ｅＮＢにより判定されたＭＣＳインデックスは、まだ０であるが、しかし、マッピングテーブルにおける対応する変調次数番号及びＴＢＳインデックスは異なり、すなわちＭ０は８（すなわち２５６ＱＡＭ）であり、そしてＴ０は１である、ということが仮定される。ＭＣＳインデックスが０である場合に、（Ｍ０、Ｔ０）は１つ又は複数の値を有することができ、同様に、ＭＣＳインデックスがｉである場合に、（Ｍｉ、Ｔｉ）は同様に１つ又は複数の値を有することができ、すなわち、ｅＮＢは、取得された（Ｍｉ、Ｔｉ）の特定の値に従って、そして図５に示されたマッピングテーブルに従ってＭＣＳインデックスの値を判定し、ここで、ｉの値は（０，３１）である、ように理解され得る。
【０１５３】
上記で説明された黙示的なマッピング情報は、（Ｍｉ、Ｔｉ）の特定の値が明示的に獲得されず、その代わりに、ＵＥがチャネル品質状態又は別の判定条件に従って（Ｍｉ、Ｔｉ）を正確に判定する必要がある、ように理解されることができ、したがって、このプロセスでは、（Ｍｉ、Ｔｉ）は黙示的なマッピング情報として理解されることができる。
【０１５４】
ステップ３０６：判定された変調及び符号化スキームインデックスをＵＥに送信する。
【０１５５】
ステップ３０７：ＵＥが、変調及び符号化スキームインデックスを受信するとともに、ＵＥが、記憶された黙示的なマッピング情報及び記憶された明示的なマッピング情報のうちの１つを測定されたチャネル品質情報に従って選択する（又は、ＵＥが高次変調をサポートする第２の高次変調マッピングテーブル及び低次変調をサポートする第２の低次変調マッピングテーブルを記憶し、ここで、第２の高次変調マッピングテーブルが黙示的なマッピング情報として記憶され、第２の低次変調マッピングテーブルが明示的なマッピング情報として記憶される、ということが理解され得る）。
【０１５６】
ステップ３０７において、ＵＥは、測定されたチャネル品質情報に従って黙示的なマッピング情報及び明示的なマッピング情報のうちの１つを選択することができ、具体的には、ＵＥは、ＣＱＩ、信号対雑音比、又は、チャネル品質を反映し得るパラメータの別の１つ若しくは組み合わせ（それは、一括してチャネル品質情報と言われ得る）に従って選択を実行し得る。
【０１５７】
チャネル品質が良い品質を示すしきい値より高いことをチャネル品質情報が反映する場合に、例えば、ＣＱＩが良いチャネル品質を示すしきい値より大きい（若しくはしきい値に等しい）か、又は、信号対雑音比が良いチャネル品質を示すしきい値より大きい場合に、ＵＥは、黙示的なマッピング情報を使用し、ここで、黙示的なマッピング情報は、具体的には、黙示的なマッピングテーブル、又は大きなテーブルに含まれる黙示的なマッピング情報であり得る。
【０１５８】
チャネル品質が良い品質を示すしきい値より低いことをチャネル品質情報が反映する場合に、例えば、ＣＱＩが良いチャネル品質を示すしきい値より小さいか、又は、信号対雑音比が良いチャネル品質を示すしきい値より小さい場合に、ＵＥは、明示的なマッピング情報を使用し、ここで、明示的なマッピング情報は、具体的には、明示的なマッピングテーブル、又は大きなテーブルに含まれる明示的なマッピング情報であり得るとともに、明示的なマッピング情報は、具体的には、図１において示され得る。
【０１５９】
ステップ３０８：もし黙示的なマッピング情報が選択されたならば、ＵＥが、受信された変調及び符号化スキームインデックスと黙示的なマッピング情報に従って変調次数とＴＢＳインデックスの黙示的な情報を判定するとともに、判定された変調次数とＴＢＳインデックスの黙示的な情報、そして測定されたチャネル品質情報に従って変調次数とＴＢＳインデックスを判定する。
【０１６０】
前述のステップ３０８の動作に対応する理解のために、一例に対して参照が行われ得る。例えば、黙示的なマッピング情報が選択される場合に、黙示的なマッピング情報は、一例として図５において示されているものを使用することができ、ＵＥにより、受信された変調及び符号化スキームインデックスと黙示的なマッピング情報に従って変調次数とＴＢＳインデックスの黙示的な情報を判定するステップは、もしＵＥにより受信された変調及び符号化スキームインデックス（ＩＭＣＳ）が１であるならば、図５において示された黙示的なマッピング情報に従って、変調次数とＴＢＳインデックスの判定された黙示的な情報が（Ｍ１、Ｔ１）であるステップを具体的に含み得る。
【０１６１】
ＵＥにより、判定された変調次数とＴＢＳインデックスの黙示的な情報、そして測定されたチャネル品質情報に従って変調次数とＴＢＳインデックスを判定するステップは、判定された変調次数とＴＢＳインデックスの黙示的な情報が（Ｍ１、Ｔ１）であること、及び測定を通してＵＥにより獲得されたチャネル品質情報（ＣＱＩのような）に従って、もしチャネル品質情報の明示的なチャネル品質が良いならば、ＵＥにより、変調次数が高次であり得るとともに、大きいトランスポートブロックサイズが選択され得ることを判定し、そうでなければ、低い変調次数及び小さいトランスポートブロックサイズが選択されることを判定するステップを具体的に含み得る。図５において示される（Ｍ１、Ｔ１）の黙示的な情報については、対応して、２つの場合の値、すなわち（２、６）及び（４、９）が存在し、もし測定されたチャネル品質が第２のしきい値より大きい（又は第２のしきい値に等しい）ならば、それは、チャネル品質が良いとともに、（Ｍ１、Ｔ１）の値が（４、９）であり、すなわち選択された変調及び符号化スキームが１６ＱＡＭであり、そしてトランスポートブロックサイズ（ＴＢＳ）インデックスが９であることを示す。図５は、黙示的なマッピング情報の理解を容易にするための一例を示し、それは本発明のこの実施例を限定することを意図していない、ということが理解されるべきである。特に、（Ｍｉ、Ｔｉ）のような黙示的な情報は、１つ又は複数の値を有することができ、それは図５における実例の２の値に限定されない、ということが理解されるべきである。（Ｍｉ、Ｔｉ）のような黙示的な情報のさらなる値の分割は、チャネル品質の更に詳細な分割を示すとともに、対応するＵＥは、ピアエンドにおける正しい復調を容易にする変調及び符号化スキームを使用することによりデータを送信し得る。
【０１６２】
ステップ３０９：もしＵＥが明示的なマッピング情報を選択したならば、ＵＥが、受信された変調及び符号化スキームインデックスと明示的なマッピング情報に従って変調次数とＴＢＳインデックスを判定する。
【０１６３】
ステップ３１０：ＵＥが、ステップ３０８又はステップ３０９において判定された変調次数とＴＢＳインデックスに従ってデータ伝送を実行する。
【０１６４】
この実施例の前述の説明を通じて、方法では、ＵＥは、最初に能力レベル情報を報告し、ここで、能力レベル情報はＵＥが２５６ＱＡＭをサポートするかどうかを示し、ＵＥは、変調次数とＴＢＳインデックスをチャネル品質情報に従って判定するためにｅＮＢにより使用される、チャネル品質情報を更に報告し、ｅＮＢは、能力レベル情報並びに判定された変調次数とＴＢＳインデックスに従って能力レベル情報に対応するマッピングテーブルを選択するとともに、変調及び符号化スキームインデックスを判定する。ｅＮＢにより送信されＵＥ側で受信された変調及び符号化スキームインデックスは、ＵＥの能力に従ってｅＮＢにより最終的に判定された変調及び符号化スキームインデックスであり、したがって、２５６ＱＡＭをサポートするＵＥと２５６ＱＡＭをサポートしないＵＥの両方は、データ伝送を実行するために、変調次数とＴＢＳインデックスを正確に判定することができる。したがって、この実施例において提供された方法では、ｅＮＢは、２５６ＱＡＭ変調をサポートするＵＥ及び２５６ＱＡＭ変調をサポートしないＵＥにサービスを互換的に提供することができ、それにより、従来技術におけるｅＮＢの非互換性の問題を克服する。
【０１６５】
さらに、方法では、２５６ＱＡＭをサポートするＵＥは、明示的なマッピング情報及び黙示的なマッピング情報の形式で、２５６ＱＡＭをサポートするマッピング情報及び２５６ＱＡＭをサポートしないマッピング情報を記憶し、その結果、ＵＥは、高次変調におけるデータ伝送を実施することができるばかりでなく、正確なスケジューリングを実施することができる。
【０１６６】
さらに、ＵＥが高次変調をサポートする第２の高次変調マッピングテーブル及び低次変調をサポートする第２の低次変調マッピングテーブルを記憶する場合に、方法は下記のステップを更に含む。
【０１６７】
ステップ３１１：ＵＥが、チャネル品質情報を送信し、ここで、チャネル品質情報はチャネル品質指標ＣＱＩを含む。
【０１６８】
ステップ３１２：基地局が、ユーザ装置により報告されたチャネル品質情報を受信し、ここで、チャネル品質情報はチャネル品質指標ＣＱＩを含む。
【０１６９】
ステップ３１３：基地局が、第１の変調マッピングテーブルを更新するかどうかをチャネル品質情報に従って判定する。
【０１７０】
ステップ３１３における、基地局により、第１の変調マッピングテーブルを更新するかどうかをチャネル品質情報に従って判定するステップは、第１の変調マッピングテーブルが第１の高次変調マッピングテーブルであるとともに、チャネル品質情報がチャネル品質しきい値より小さい場合に、基地局により、第１の変調マッピングテーブルを更新することを判定するステップであって、更新された第１の変調マッピングテーブルが第１の低次変調マッピングテーブルである、ステップか、又は、第１の変調マッピングテーブルが第１の低次変調マッピングテーブルであるとともに、チャネル品質情報がチャネル品質しきい値より大きい（又はチャネル品質しきい値に等しい）場合に、基地局により、第１の変調マッピングテーブルを更新することを判定するステップであって、更新された第１の変調マッピングテーブルが第１の高次変調マッピングテーブルである、ステップを含む。
【０１７１】
ステップ３１４：基地局が、第１の更新情報をユーザ装置に送信し、ここで、第１の更新情報は第２の変調マッピングテーブルを更新するようにユーザ装置に指示するために使用され、第２の変調マッピングテーブルは、基地局と通信するために使用されるとともに、第２の高次変調マッピングテーブル又は第２の低次変調マッピングテーブルである。
【０１７２】
第１の更新情報は、無線リソース制御メッセージにより伝達され得るか、又は、第１の更新情報は、物理層ダウンリンク制御チャネルを使用することにより伝送される。
【実施例６】
【０１７３】
本発明のこの実施例は、基地局を提供し、この実施例において、高次変調は２５６直交振幅変調ＱＡＭを含み、低次変調は６４ＱＡＭ、１６ＱＡＭ及び直交位相シフトキーイングＱＰＳＫのうちの少なくとも１つを含む。図８において示されたように、基地局は、第１の受信ユニット８０１、判定ユニット８０２、第１の送信ユニット８０３及び第１の記憶ユニット８０４を含み、第１の受信ユニット８０１は、ユーザ装置により送信された能力レベル情報を受信し、ユーザ装置が高次変調をサポートすること又は低次変調をサポートすることを示すために能力レベル情報が使用される、ように構成され、判定ユニット８０２は、ユーザ装置と通信するために使用される第１の変調マッピングテーブルをユーザ装置により送信された能力レベル情報に従って判定し、第１の変調マッピングテーブルが第１の高次変調マッピングテーブル又は第１の低次変調マッピングテーブルである、ように構成され、判定ユニット８０２は、変調及び符号化スキームインデックスを変調マッピングテーブルに従って判定し、変調及び符号化スキームインデックスが変調及び符号化スキームを判定するためにユーザ装置により使用される、ように更に構成され、第１の送信ユニット８０３は、変調及び符号化スキームインデックスをユーザ装置に送信するように構成され、第１の記憶ユニット８０４は、高次変調をサポートする第１の高次変調マッピングテーブル及び低次変調をサポートする第１の低次変調マッピングテーブルを記憶するように構成される。
【０１７４】
この実施例の前述の説明を通じて、基地局は、高次変調をサポートする第１の高次変調マッピングテーブル及び低次変調をサポートする第１の低次変調マッピングテーブルを記憶し、基地局は、ユーザ装置により送信された能力レベル情報を受信し、基地局は、ユーザ装置と通信するために使用される第１の変調マッピングテーブルをユーザ装置により送信された能力レベル情報に従って判定し、基地局は、変調及び符号化スキームインデックスを変調マッピングテーブルに従って判定し、ここで、変調及び符号化スキームインデックスは、変調及び符号化スキームを判定するためにユーザ装置により使用され、変調及び符号化スキームインデックスは、ユーザ装置に送信される。したがって、２５６ＱＡＭをサポートするＵＥと２５６ＱＡＭをサポートしないＵＥの両方は、データ伝送を実行するために、変調及び符号化スキームインデックスを正確に判定することができる。したがって、ｅＮＢは、２５６ＱＡＭ変調をサポートするＵＥ及び２５６ＱＡＭ変調をサポートしないＵＥにサービスを互換的に提供することができ、それにより、従来技術におけるｅＮＢの非互換性の問題を克服する。
【０１７５】
任意に、判定ユニットにより、ユーザ装置と通信するために使用される第１の変調マッピングテーブルをユーザ装置により送信された能力レベル情報に従って判定するステップは、ユーザ装置が高次変調をサポートすることを能力レベル情報が示す場合に、基地局により、変調マッピングテーブルが第１の高次変調マッピングテーブルであることを判定するステップであって、ユーザ装置が高次変調をサポートする第２の高次変調マッピングテーブルを記憶する、ステップを含む。
【０１７６】
任意に、判定ユニットにより、ユーザ装置と通信するために使用される第１の変調マッピングテーブルをユーザ装置により送信された能力レベル情報に従って判定するステップは、ユーザ装置が高次変調をサポートすることを能力レベル情報が示すとともに、信号対干渉雑音比ＳＩＮＲがＳＩＮＲしきい値より大きい（又はＳＩＮＲしきい値に等しい）場合に、基地局により、第１の変調マッピングテーブルが第１の高次変調マッピングテーブルであることを判定するか、又は、ユーザ装置が高次変調をサポートすることを能力レベル情報が示すとともに、信号対干渉雑音比ＳＩＮＲがＳＩＮＲしきい値より小さい場合に、基地局により、第１の変調マッピングテーブルが第１の低次変調マッピングテーブルであることを判定するステップであって、ユーザ装置が高次変調をサポートする第２の高次変調マッピングテーブル及び低次変調をサポートする第２の低次変調マッピングテーブルを記憶する、ステップを含む。
【０１７７】
任意に、ユーザ装置が高次変調をサポートする第２の高次変調マッピングテーブル及び低次変調をサポートする第２の低次変調マッピングテーブルを記憶する場合に、第１の受信ユニットは、ユーザ装置により報告されたチャネル品質情報を受信し、チャネル品質情報がチャネル品質指標ＣＱＩを含む、ように更に構成され、判定ユニットは、第１の変調マッピングテーブルを更新するかどうかをチャネル品質情報に従って判定するように更に構成される。
【０１７８】
任意に、判定ユニットにより、第１の変調マッピングテーブルを更新するかどうかをチャネル品質情報に従って判定するステップは、第１の変調マッピングテーブルが第１の高次変調マッピングテーブルであるとともに、チャネル品質情報がチャネル品質しきい値より小さい場合に、基地局により、第１の変調マッピングテーブルを更新することを判定するステップであって、更新された第１の変調マッピングテーブルが第１の低次変調マッピングテーブルである、ステップか、又は、第１の変調マッピングテーブルが第１の低次変調マッピングテーブルであるとともに、チャネル品質情報がチャネル品質しきい値より大きい（又はチャネル品質しきい値に等しい）場合に、基地局により、第１の変調マッピングテーブルを更新することを判定するステップであって、更新された第１の変調マッピングテーブルが第１の高次変調マッピングテーブルである、ステップを含む。
【０１７９】
任意に、第１の送信ユニットは、第１の更新情報をユーザ装置に送信し、第１の更新情報が第２の変調マッピングテーブルを更新するようにユーザ装置に指示するために使用され、第２の変調マッピングテーブルが、基地局と通信するために使用されるとともに、第２の高次変調マッピングテーブル又は第２の低次変調マッピングテーブルである、ように更に構成される。
【０１８０】
任意に、ユーザ装置が高次変調をサポートする第２の高次変調マッピングテーブル及び低次変調をサポートする第２の低次変調マッピングテーブルを記憶する場合に、第１の受信ユニットは、ユーザ装置により送信された第２の更新情報を受信し、第２の更新情報が第１の変調マッピングテーブルを更新するように基地局に指示するために使用される、ように更に構成される。
【０１８１】
任意に、第１の更新情報又は第２の更新情報は、無線リソース制御メッセージにより伝達される。
【０１８２】
任意に、第１の更新情報は、物理層ダウンリンク制御チャネルを使用することにより伝送される。
【０１８３】
この実施例において提供された基地局の詳細な説明については、方法の実施例１、実施例３、実施例４及び実施例５に対して参照が同様に行われても良く、それは、ここでは再度説明されない。
【実施例７】
【０１８４】
本発明のこの実施例は、ユーザ装置を提供する。図９において示されたように、ユーザ装置は、第２の送信ユニット９０１、第２の受信ユニット９０２、第２の判定ユニット９０３及び第２の記憶ユニット９０４を含み、第２の送信ユニット９０１は、能力レベル情報を基地局に送信し、ユーザ装置が高次変調又は低次変調をサポートすることを示すために能力レベル情報が使用され、高次変調が２５６直交振幅変調ＱＡＭを含み、低次変調が６４ＱＡＭ、１６ＱＡＭ及び直交位相シフトキーイングＱＰＳＫのうちの少なくとも１つを含み、基地局が高次変調をサポートする第１の高次変調マッピングテーブル及び低次変調をサポートする第１の低次変調マッピングテーブルを記憶する、ように構成され、第２の受信ユニット９０２は、基地局により送信された変調及び符号化スキームインデックスを受信し、変調及び符号化スキームインデックスが第１の変調マッピングテーブルに従って基地局により判定され、第１の変調マッピングテーブルが第１の高次変調マッピングテーブル又は第１の低次変調マッピングテーブルである、ように構成され、第２の判定ユニット９０３は、基地局と通信するための第２の変調マッピングテーブルを判定するとともに、第２の変調マッピングテーブルと変調及び符号化スキームインデックスに従って変調及び符号化スキームを判定するように構成され、第２の記憶ユニット９０４は、高次変調をサポートする第２の高次変調マッピングテーブル及び低次変調をサポートする第２の低次変調マッピングテーブルのうちの少なくとも１つを記憶し、第２の変調マッピングテーブルが第２の高次変調マッピングテーブル又は第２の低次変調マッピングテーブルである、ように構成される。
【０１８５】
この実施例の前述の説明を通じて、ユーザ装置は、能力レベル情報を基地局に送信し、基地局により送信された変調及び符号化スキームインデックスを受信し、そして、ユーザ装置は、基地局と通信するための第２の変調マッピングテーブルを判定するとともに、第２の変調マッピングテーブルと変調及び符号化スキームインデックスに従って変調及び符号化スキームを判定し、ここで、ユーザ装置は、高次変調をサポートする第２の高次変調マッピングテーブル及び低次変調をサポートする第２の低次変調マッピングテーブルのうちの少なくとも１つを記憶し、その結果、ｅＮＢは、２５６ＱＡＭ変調をサポートするＵＥ及び２５６ＱＡＭ変調をサポートしないＵＥにサービスを互換的に提供することができ、それにより、従来技術におけるｅＮＢの非互換性の問題を克服する。
【０１８６】
任意に、ユーザ装置が高次変調をサポートする第２の高次変調マッピングテーブルを記憶する場合に、第２の判定ユニットにより、基地局と通信するための第２の変調マッピングテーブルを判定するステップは、デフォルト設定で第２の高次変調マッピングテーブルを第２の変調マッピングテーブルとして使用するステップを含む。
【０１８７】
任意に、ユーザ装置が高次変調をサポートする第２の高次変調マッピングテーブル及び低次変調をサポートする第２の低次変調マッピングテーブルを記憶する場合に、第２の判定ユニットにより、基地局と通信するための第２の変調マッピングテーブルを判定するステップは、信号対干渉雑音比ＳＩＮＲがＳＩＮＲしきい値より大きい（又はＳＩＮＲしきい値に等しい）場合に、ユーザ装置により、第２の変調マッピングテーブルが第２の高次変調マッピングテーブルであることを判定するか、又は、信号対干渉雑音比ＳＩＮＲがＳＩＮＲしきい値より小さい場合に、ユーザ装置により、第２の変調マッピングテーブルが第２の低次変調マッピングテーブルであることを判定するステップを含む。
【０１８８】
任意に、第２の記憶ユニットが高次変調をサポートする第２の高次変調マッピングテーブル及び低次変調をサポートする第２の低次変調マッピングテーブルを記憶する場合に、第２の送信ユニットは、チャネル品質情報を基地局に送信し、チャネル品質情報が第１の変調マッピングテーブルを更新するかどうかを判定するために基地局により使用されるとともに、チャネル品質情報がチャネル品質指標ＣＱＩを含む、ように更に構成される。
【０１８９】
任意に、第２の受信ユニットは、基地局により送信された第１の更新情報を受信するように更に構成され、ユーザ装置は、第１の更新情報に従って第２の変調マッピングテーブルを更新するように構成される更新ユニットを更に含む。
【０１９０】
任意に、第２の記憶ユニットが高次変調をサポートする第２の高次変調マッピングテーブル及び低次変調をサポートする第２の低次変調マッピングテーブルを記憶する場合に、第２の判定ユニットは、チャネル品質情報を判定し、チャネル品質情報がチャネル品質指標を含むとともに、第２の変調マッピングテーブルを更新するかどうかをチャネル品質情報に従って判定する、ように更に構成される。
【０１９１】
任意に、第２の判定ユニットにより、第２の変調マッピングテーブルを更新するかどうかをチャネル品質情報に従って判定するステップは、第２の変調マッピングテーブルが第２の高次変調マッピングテーブルであるとともに、チャネル品質情報がチャネル品質しきい値より小さい場合に、ユーザ装置により、第２の変調マッピングテーブルを更新することを判定するステップであって、更新された第２の変調マッピングテーブルが第２の低次変調マッピングテーブルである、ステップか、又は、第２の変調マッピングテーブルが第２の低次変調マッピングテーブルであるとともに、チャネル品質情報がチャネル品質しきい値より大きい（又はチャネル品質しきい値に等しい）場合に、ユーザ装置により、第２の変調マッピングテーブルを更新することを判定するステップであって、更新された第２の変調マッピングテーブルが第２の高次変調マッピングテーブルである、ステップを含む。
【０１９２】
任意に、第２の送信ユニットは、第２の更新情報を基地局に送信し、第２の更新情報が第１の変調マッピングテーブルを更新するように基地局に指示するために使用される、ように更に構成される。
【０１９３】
任意に、第１の更新情報又は第２の更新情報は、無線リソース制御メッセージにより伝達される。
【０１９４】
任意に、第１の更新情報は、物理層ダウンリンク制御チャネルを使用することにより伝送される。
【０１９５】
この実施例において提供されたユーザ装置の詳細な説明については、方法の実施例２、実施例３、実施例４及び実施例５に対して参照が同様に行われても良く、それは、ここでは再度説明されない。
【実施例８】
【０１９６】
本発明のこの実施例は、基地局を更に提供するとともに、概要の構造図が図１０において示される。基地局は、別々にバスに接続されたメモリ４０、プロセッサ４１、入力装置４３及び出力装置４４を含む。
【０１９７】
メモリ４０は、入力装置４３から入力されたデータを記憶するように構成されるとともに、プロセッサ４１によりデータを処理するために必要なファイルのような情報を更に記憶し得る。
【０１９８】
高次変調は２５６直交振幅変調ＱＡＭを含み、低次変調は６４ＱＡＭ、１６ＱＡＭ及び直交位相シフトキーイングＱＰＳＫのうちの少なくとも１つを含む、ということが理解されるべきである。
【０１９９】
入力装置４３は、ユーザ装置により送信された能力レベル情報を受信し、ユーザ装置が高次変調をサポートすること又は低次変調をサポートすることを示すために能力レベル情報が使用される、ように構成される。
【０２００】
プロセッサ４１は、ユーザ装置と通信するために使用される第１の変調マッピングテーブルをユーザ装置により送信された能力レベル情報に従って判定し、第１の変調マッピングテーブルが第１の高次変調マッピングテーブル又は第１の低次変調マッピングテーブルであり、変調及び符号化スキームインデックスを変調マッピングテーブルに従って判定し、変調及び符号化スキームインデックスが変調及び符号化スキームを判定するためにユーザ装置により使用される、ように構成される。
【０２０１】
出力装置４４は、変調及び符号化スキームインデックスをユーザ装置に送信するように構成される。
【０２０２】
メモリ４０は、基地局により、高次変調をサポートする第１の高次変調マッピングテーブル及び低次変調をサポートする第１の低次変調マッピングテーブルを記憶するように更に構成される。
【０２０３】
この実施例の前述の説明を通じて、基地局は、高次変調をサポートする第１の高次変調マッピングテーブル及び低次変調をサポートする第１の低次変調マッピングテーブルを記憶し、基地局は、ユーザ装置により送信された能力レベル情報を受信し、基地局は、ユーザ装置と通信するために使用される第１の変調マッピングテーブルをユーザ装置により送信された能力レベル情報に従って判定し、基地局は、変調及び符号化スキームインデックスを変調マッピングテーブルに従って判定し、ここで、変調及び符号化スキームインデックスは、変調及び符号化スキームを判定するためにユーザ装置により使用され、変調及び符号化スキームインデックスは、ユーザ装置に送信される。したがって、２５６ＱＡＭをサポートするＵＥと２５６ＱＡＭをサポートしないＵＥの両方は、データ伝送を実行するために、変調及び符号化スキームインデックスを正確に判定することができる。したがって、ｅＮＢは、２５６ＱＡＭ変調をサポートするＵＥ及び２５６ＱＡＭ変調をサポートしないＵＥにサービスを互換的に提供することができ、それにより、従来技術におけるｅＮＢの非互換性の問題を克服する。
【０２０４】
任意に、プロセッサ４１により、ユーザ装置と通信するために使用される第１の変調マッピングテーブルをユーザ装置により送信された能力レベル情報に従って判定するステップは、ユーザ装置が高次変調をサポートすることを能力レベル情報が示す場合に、基地局により、変調マッピングテーブルが第１の高次変調マッピングテーブルであることを判定するステップであって、ユーザ装置が高次変調をサポートする第２の高次変調マッピングテーブルを記憶する、ステップを含む。
【０２０５】
任意に、プロセッサ４１により、ユーザ装置と通信するために使用される第１の変調マッピングテーブルをユーザ装置により送信された能力レベル情報に従って判定するステップは、ユーザ装置が高次変調をサポートすることを能力レベル情報が示すとともに、信号対干渉雑音比ＳＩＮＲがＳＩＮＲしきい値より大きい場合に、基地局により、第１の変調マッピングテーブルが第１の高次変調マッピングテーブルであることを判定するか、又は、ユーザ装置が高次変調をサポートすることを能力レベル情報が示すとともに、信号対干渉雑音比ＳＩＮＲがＳＩＮＲしきい値より小さい場合に、基地局により、第１の変調マッピングテーブルが第１の低次変調マッピングテーブルであることを判定するステップであって、ユーザ装置が高次変調をサポートする第２の高次変調マッピングテーブル及び低次変調をサポートする第２の低次変調マッピングテーブルを記憶する、ステップを含む。
【０２０６】
任意に、ユーザ装置が高次変調をサポートする第２の高次変調マッピングテーブル及び低次変調をサポートする第２の低次変調マッピングテーブルを記憶する場合に、入力装置４３は、ユーザ装置により報告されたチャネル品質情報を受信し、チャネル品質情報がチャネル品質指標ＣＱＩを含む、ように更に構成され、プロセッサ４１は、第１の変調マッピングテーブルを更新するかどうかをチャネル品質情報に従って判定するように更に構成される。
【０２０７】
任意に、プロセッサ４１により、第１の変調マッピングテーブルを更新するかどうかをチャネル品質情報に従って判定するステップは、第１の変調マッピングテーブルが第１の高次変調マッピングテーブルであるとともに、チャネル品質情報がチャネル品質しきい値より小さい場合に、基地局により、第１の変調マッピングテーブルを更新することを判定するステップであって、更新された第１の変調マッピングテーブルが第１の低次変調マッピングテーブルである、ステップか、又は、第１の変調マッピングテーブルが第１の低次変調マッピングテーブルであるとともに、チャネル品質情報がチャネル品質しきい値より大きい場合に、基地局により、第１の変調マッピングテーブルを更新することを判定するステップであって、更新された第１の変調マッピングテーブルが第１の高次変調マッピングテーブルである、ステップを含む。
【０２０８】
任意に、出力装置４４は、第１の更新情報をユーザ装置に送信し、第１の更新情報が第２の変調マッピングテーブルを更新するようにユーザ装置に指示するために使用され、第２の変調マッピングテーブルが、基地局と通信するために使用されるとともに、第２の高次変調マッピングテーブル又は第２の低次変調マッピングテーブルである、ように更に構成される。
【０２０９】
任意に、ユーザ装置が高次変調をサポートする第２の高次変調マッピングテーブル及び低次変調をサポートする第２の低次変調マッピングテーブルを記憶する場合に、出力装置４４は、ユーザ装置により送信された第２の更新情報を受信し、第２の更新情報が第１の変調マッピングテーブルを更新するように基地局に指示するために使用される、ように更に構成される。
【０２１０】
任意に、第１の更新情報又は第２の更新情報は、無線リソース制御メッセージにより伝達される。
【０２１１】
任意に、第１の更新情報は、物理層ダウンリンク制御チャネルを使用することにより伝送される。
【実施例９】
【０２１２】
本発明のこの実施例は、ユーザ装置を更に提供するとともに、概要の構造図が図１１において示される。ユーザ装置は、別々にバスに接続されたメモリ５０、プロセッサ５１、入力装置５３及び出力装置５４を含む。
【０２１３】
メモリ５０は、入力装置５３から入力されたデータを記憶するように構成されるとともに、プロセッサ５１によりデータを処理するために必要なファイルのような情報を更に記憶し得る。
【０２１４】
出力装置５４は、能力レベル情報を基地局に送信し、ユーザ装置が高次変調又は低次変調をサポートすることを示すために能力レベル情報が使用され、高次変調が２５６直交振幅変調ＱＡＭを含み、低次変調が６４ＱＡＭ、１６ＱＡＭ及び直交位相シフトキーイングＱＰＳＫのうちの少なくとも１つを含み、基地局が高次変調をサポートする第１の高次変調マッピングテーブル及び低次変調をサポートする第１の低次変調マッピングテーブルを記憶する、ように構成される。
【０２１５】
入力装置５３は、基地局により送信された変調及び符号化スキームインデックスを受信し、変調及び符号化スキームインデックスが第１の変調マッピングテーブルに従って基地局により判定され、第１の変調マッピングテーブルが第１の高次変調マッピングテーブル又は第１の低次変調マッピングテーブルである、ように構成される。
【０２１６】
プロセッサ５１は、基地局と通信するための第２の変調マッピングテーブルを判定するとともに、第２の変調マッピングテーブルと変調及び符号化スキームインデックスに従って変調及び符号化スキームを判定するように構成される。
【０２１７】
メモリ５０は、高次変調をサポートする第２の高次変調マッピングテーブル及び低次変調をサポートする第２の低次変調マッピングテーブルのうちの少なくとも１つを記憶し、第２の変調マッピングテーブルが第２の高次変調マッピングテーブル又は第２の低次変調マッピングテーブルである、ように構成される。
【０２１８】
この実施例の前述の説明を通じて、ユーザ装置は、能力レベル情報を基地局に送信し、基地局により送信された変調及び符号化スキームインデックスを受信し、そして、ユーザ装置は、基地局と通信するための第２の変調マッピングテーブルを判定するとともに、第２の変調マッピングテーブルと変調及び符号化スキームインデックスに従って変調及び符号化スキームを判定し、ここで、ユーザ装置は、高次変調をサポートする第２の高次変調マッピングテーブル及び低次変調をサポートする第２の低次変調マッピングテーブルのうちの少なくとも１つを記憶し、その結果、ｅＮＢは、２５６ＱＡＭ変調をサポートするＵＥ及び２５６ＱＡＭ変調をサポートしないＵＥにサービスを互換的に提供することができ、それにより、従来技術におけるｅＮＢの非互換性の問題を克服する。
【０２１９】
任意に、メモリ５０が高次変調をサポートする第２の高次変調マッピングテーブルを記憶する場合に、プロセッサ５１により、基地局と通信するための第２の変調マッピングテーブルを判定するステップは、デフォルト設定で第２の高次変調マッピングテーブルを第２の変調マッピングテーブルとして使用するステップを含む。
【０２２０】
任意に、メモリ５０が高次変調をサポートする第２の高次変調マッピングテーブル及び低次変調をサポートする第２の低次変調マッピングテーブルを記憶する場合に、プロセッサ５１により、基地局と通信するための第２の変調マッピングテーブルを判定するステップは、信号対干渉雑音比ＳＩＮＲがＳＩＮＲしきい値より大きい場合に、ユーザ装置により、第２の変調マッピングテーブルが第２の高次変調マッピングテーブルであることを判定するか、又は、信号対干渉雑音比ＳＩＮＲがＳＩＮＲしきい値より小さい場合に、ユーザ装置により、第２の変調マッピングテーブルが第２の低次変調マッピングテーブルであることを判定するステップを含む。
【０２２１】
任意に、メモリ５０が高次変調をサポートする第２の高次変調マッピングテーブル及び低次変調をサポートする第２の低次変調マッピングテーブルを記憶する場合に、出力装置５４は、チャネル品質情報を基地局に送信し、チャネル品質情報が第１の変調マッピングテーブルを更新するかどうかを判定するために基地局により使用されるとともに、チャネル品質情報がチャネル品質指標ＣＱＩを含む、ように更に構成される。
【０２２２】
任意に、入力装置５３は、基地局により送信された第１の更新情報を受信するように更に構成され、プロセッサ５１は、第１の更新情報に従って第２の変調マッピングテーブルを更新するように更に構成される。
【０２２３】
任意に、メモリ５０が高次変調をサポートする第２の高次変調マッピングテーブル及び低次変調をサポートする第２の低次変調マッピングテーブルを記憶する場合に、プロセッサ５１は、チャネル品質情報を判定し、チャネル品質情報がチャネル品質指標を含むとともに、第２の変調マッピングテーブルを更新するかどうかをチャネル品質情報に従って判定する、ように更に構成される。
【０２２４】
任意に、プロセッサ５１により、第２の変調マッピングテーブルを更新するかどうかをチャネル品質情報に従って判定するステップは、第２の変調マッピングテーブルが第２の高次変調マッピングテーブルであるとともに、チャネル品質情報がチャネル品質しきい値より小さい場合に、ユーザ装置により、第２の変調マッピングテーブルを更新することを判定するステップであって、更新された第２の変調マッピングテーブルが第２の低次変調マッピングテーブルである、ステップか、又は、第２の変調マッピングテーブルが第２の低次変調マッピングテーブルであるとともに、チャネル品質情報がチャネル品質しきい値より大きい場合に、ユーザ装置により、第２の変調マッピングテーブルを更新することを判定するステップであって、更新された第２の変調マッピングテーブルが第２の高次変調マッピングテーブルである、ステップを含む。
【０２２５】
任意に、出力装置５４は、第２の更新情報を基地局に送信し、第２の更新情報が第１の変調マッピングテーブルを更新するように基地局に指示するために使用される、ように更に構成される。
【０２２６】
任意に、第１の更新情報又は第２の更新情報は、無線リソース制御メッセージにより伝達される。
【０２２７】
任意に、第１の更新情報は、物理層ダウンリンク制御チャネルを使用することにより伝送される。
【０２２８】
前述の実施例において、各実施例の説明は、それぞれの焦点を有している、ということに注意が必要である。実施例において詳細に説明されない部分のために、他の実施例における関連の説明に対する参照が行われ得る。さらに、この明細書において、第１及び第２のような関係語は、１つのエンティティ又は動作を別のものと区別するために単に使用され、あらゆる実際の関係又は順序がこれらのエンティティ又は動作の間に存在することを、必ずしも必要とするか又は意味するとは限らない。さらに、“含む（include）”、“備える（comprise）”という用語、又は、それらのあらゆる他の変形は、非排他的含有物をカバーすることを意図しており、その結果、要素のリストを含む処理、方法、物品若しくは装置は、それらの要素を含むばかりでなく、特にリストされていない他の要素を含むか、又は、そのような処理、方法、物品若しくは装置に固有の要素を更に含む。“・・・を含む”という記述により限定された要素は、追加の制約なしで、要素を含む処理、方法、物品若しくは装置における追加の同じ要素の存在を排除しない。
【０２２９】
当業者は、実施例における方法のステップの全部又はいくつかが、関連するハードウェアに命令するプログラムにより実施され得る、ということを理解し得る。このプログラムはコンピュータ読み取り可能な記憶媒体に記憶され得る。記憶媒体は、読み出し専用メモリ、磁気ディスク又は光ディスクを含む。
【０２３０】
上記は、本発明において提供された、高次変調及び低次変調に対応している伝送方法、並びに装置を詳細に説明する。当業者は、本発明の実施例の発想に基づいて、具体的な実施方法及び適用範囲に対して変更を加えることができる。結論として、本明細書の内容を、本発明を限定するものとして理解してはならない。
【図１】
0006342493.tif 000003
【図２】
0006342493.tif 000004
【図３】
0006342493.tif 000005
【図４】
0006342493.tif 000006
【図５】
0006342493.tif 000007
【図６】
0006342493.tif 000008
【図７】
0006342493.tif 000009
【図８】
0006342493.tif 000010
【図９】
0006342493.tif 000011
【図１０】
0006342493.tif 000012
【図１１】
0006342493.tif 000013